(57)【特許請求の範囲】
【請求項１】
外枠と、
該外枠に開閉動作可能な状態に取り付けられる本体枠と、
表面部が前方に向けられた状態で前記本体枠によって保持されると共に、略板状に構成される遊技盤本体と、該遊技盤本体に対して取り付けられる複数個の遊技盤部品と、を具備する遊技機用遊技盤と、
前記遊技機用遊技盤の表面部を覆う透明板を具備すると共に前記本体枠の表面部側に開放動作が可能な状態で装着される表扉枠と、
前記本体枠の前面部側のうちで、表扉枠の装着位置よりも下方側の部位に装着される上皿部材と、
前記遊技盤本体の振動を検出するための振動検出手段と、
を備える遊技機であって、
前記遊技盤部品のうちの特定の遊技盤部品及び前記遊技盤本体のうちの少なくとも一方において前後方向に設けられたスライド突起と、
前記振動検出手段に設けられると共に前記スライド突起に対して前後方向に沿って摺動可能となる状態に前記スライド突起を挿入するスライド孔と、
を備え、
前記スライド孔に前記スライド突起を挿入することで、前記振動検出手段が前記スライド突起に対して前後方向にスライド可能な状態に装着されていることを特徴とする遊技機。
【請求項２】
前記遊技盤部品のうちの特定の遊技盤部品及び前記遊技盤本体のうちの少なくとも一方には、左右一対のスライド突起が設けられ、
前記振動検出手段には、左側のスライド突起に対して前後方向に沿って摺動可能となる状態に該左側のスライド突起を挿入するスライド孔と、右側のスライド突起に対して前後方向に沿って摺動可能となる状態に該右側のスライド突起を挿入するスライド孔と、が設けられることを特徴とする請求項１に記載の遊技機。
【請求項３】
前記スライド突起が前記スライド孔から抜け出ることを防止するための抜け止め手段が前記スライド突起に設けられることを特徴とする請求項１又は２に記載の遊技機。
【請求項４】
前記振動検出手段は、振動検出装置部と該振動検出装置部を保持する保持部材とを具備し、
前記保持部材が前記スライド突起に対して前後方向にスライド可能な状態に装着されることを特徴とする請求項１〜３の何れか一項に記載の遊技機。
【請求項５】
前記特定の遊技盤部品は、前記遊技盤本体の裏面部に装着されると共に前記遊技機用遊技盤の表面部側から裏面部側に導かれる遊技球を集合させる球集合部材であり、
前記スライド突起は、前記球集合部材の内壁部に設けられていることを特徴とする請求項１〜４の何れか一項に記載の遊技機。
【発明の詳細な説明】
【技術分野】
【０００１】
本発明は、遊技機に関する。本発明は、特に、羽根物の特徴を兼ね備えるセブン機、羽根物、羽根物の特徴を兼ね備える権利物、又は、羽根物の特徴を兼ね備えるアレンジボール等の弾球遊技機に対して好適に適用される。
【背景技術】
【０００２】
例えば、弾球遊技機は、（１）設置部位（パチンコホールの島設備に設けられる設置部位等）に設置される外枠と、（２）外枠の左右方向に沿った一側に、開放動作が可能な状態で装着される本体枠（中枠と称することもある。）と、（３）「表面部（前面部）が遊技者の方向（前方）に向けられた状態で本体枠によって保持される遊技機用遊技盤（以下、「遊技盤」という。）と、（４）遊技盤の表面部を覆う透明板（通常、ガラス板によって構成される。）を具備すると共に本体枠の表面部側に開放動作が可能な状態で装着される表扉枠（ガラス扉枠若しくは前面枠と称することがある。）と、（５）遊技機内から排出される遊技球を貯留するための上皿本体を備えると共に、本体枠の前面部側のうちで、表扉枠の装着位置よりも下方側の部位に、開放動作が可能な状態で装着される上皿部材と、（６）遊技機内から排出される遊技球を貯留するための下皿本体を備えると共に、本体枠の前面部側のうちで、上皿部材の下方の部位に配置される下皿部材等を備えている。
【０００３】
この遊技盤は、合板や樹脂板等で構成される略板状の遊技盤本体（以下、「盤本体」という。）を備えており、この盤本体の表面部には、通常、２本の「金属製レール（つまり、外側レールと内側レール）」が、「一方の側縁部を当接させ、しかも略円弧状に湾曲されつつ、前方に突出する状態」に配置される。つまり、盤本体の表面部には、（Ａ）長尺で金属製の帯状板を開口部を下方若しくは側方に向けた略円弧形状（Ｃの字状）としつつ配置して構成される外側レールと、（Ｂ）外側レールの配置箇所の内側において長尺で金属製の帯状板を開口部を上方に向けた略円弧形状（Ｃの字状）としつつ配置して構成される内側レールとが配設される。
【０００４】
この盤本体の表面部において、外側レールと内側レールとが略円形、略楕円形若しくは長円形等に略取り囲む部位が遊技領域と称される。また、遊技領域内には多数の障害釘が配設されると共に遊技領域内において最下部にアウト口が設けられる。そして、遊技領域内においてこの最下部よりも上方の位置に入球ゲートの他に各種の入球装置等が配設されている。更に、盤本体の裏面部には球集合部材（集合板と称する部品であって、遊技盤の表面部側から裏面部側に導かれる遊技球を集合させて、島設備に変換するための部品である。）等の「遊技盤部品（以下、「盤部品」という。）」が取り付けられている。
【０００５】
このような遊技機（弾球遊技機）においては、所謂「ドツキ」と称される不正行為の対象となることがある。つまり、この種の遊技機において、不正行為者が遊技盤に対して不正な振動を与えることで、（ａ）遊技者にとって不利な領域部に到達するはずであった遊技球を、遊技者にとって有利な領域部に到達させたり、（ｂ）入球装置に入球しないはずであった遊技球を、無理に入球装置に入球させるという不正行為等が行われることがある。以下、この点に関し、「羽根物型の入球装置」を備える遊技機（羽根物の特徴を兼ね備えるセブン機、羽根物等）を例にとって具体的に説明する。
【０００６】
「羽根物型の入球装置」は、通常、（ａ）遊技領域を転動する遊技球が入球可能な入球口を備えると共に、遊技球が進入可能な状態に設けられる通常領域部と、遊技球が進入可能な状態に設けられる特別領域部とを備える装置本体と、（ｂ）この入球口の開閉を行うための開閉部材とを備えている。そして、この開閉部材としては「開閉羽根」方式の開閉部材等を例示できるが、この開閉部材は、その下端部側が軸支されると共に、上端部を略鉛直上方に向ける起立姿勢と、上端部を斜め上方に向ける傾動姿勢との間で姿勢変更可能とされている。この開閉部材は、通常「起立姿勢」とされているが、開放動作実行条件が成立すると、所定の動作パターンに従って一定時間（０．３秒若しくは０．４間等の短時間）傾動姿勢となる。尚、この「羽根物型の入球装置」を備える遊技機の中には（１）遊技領域に配設された始動入球装置に遊技球が入球することに起因してこの「開放動作実行条件」を成立させるものや、（２）当該遊技機の遊技状態がこの始動入球装置に遊技球が入球することに基づいて小当り状態とされることで、この「開放動作実行条件」を成立させるもの等が存在する。
【０００７】
この開閉部材が起立姿勢とされると、「装置本体内への遊技球の入球」が不可能となるように入球口が閉鎖される。一方、開閉部材が傾動姿勢とされると、「装置本体内への遊技球の入球」が可能となるように入球口が開放されると共に、開閉部材の誘導面（開閉部材において、起立姿勢のときに入球口と対向する側面部）が入球口と離間する方向に向かって上がり傾斜となる。このため、遊技領域を流下（転動）する遊技球は、この誘導面に誘導されつつ入球口を通過して装置本体内に入球することが可能となる。
【０００８】
また、装置本体内には誘導装置が配設され、この誘導装置によって、装置本体内に入球した遊技球が通常領域部及び特別領域部にうちの一方に誘導される。更に具体的に述べると、この誘導装置は、駆動手段（モータ等）を用いて駆動する誘導部材（例えば、クルーンと称する回転体）を備えており、この誘導部材には「通常領域部に連絡される通常誘導口」と「特別領域部に連絡される特別誘導口」とが設けられている。そして、装置本体内に入球した遊技球は、（ａ）通常誘導口に進入した後、その下流側の通常領域部に誘導されるか、（ｂ）特別誘導口に進入した後、その下流側の特別領域部に誘導される。
【０００９】
この「羽根物型の入球装置」を有する遊技機の中には、「遊技球が特別領域部に誘導される場合、遊技者にとって有利な遊技状態に変化する遊技機」や、「遊技球が特別領域部に誘導される場合、遊技者にとって有利な遊技状態に変化する可能性を生じさせる遊技機」が存在する。具体的には、遊技機の遊技状態が通常遊技状態にあるときに、遊技球が特別領域部を通過すると、遊技機の遊技状態を通常遊技状態よりも遊技者にとって有利な大当り遊技状態（つまり、特別遊技状態）に変化させる遊技機が知られている。また、遊技機の遊技状態が通常遊技状態にあるときに、遊技球が特別領域部を通過すると、遊技機の遊技状態を、通常遊技状態よりも、遊技者にとって有利な大当り遊技状態（特別遊技状態）に変化させると共に、遊技機の遊技状態が大当り遊技状態（特別遊技状態）にあるときに遊技球が特別領域部を通過すると、大当り遊技状態（特別遊技状態）を継続させることを許容する遊技機も知られている。
【００１０】
ところが、この種の遊技機においては、遊技盤に対して不正な振動を与えることで、「大当り遊技状態の発生の機会を不正に拡大する」という、不正行為がなされる可能性がある。例えば、入球装置に入球して誘導部材に到達した遊技球が、これから通常誘導口に進入しようとしている場合に、表扉枠や上皿部材等に「不正な振動を与えること（つまり、ドツキを行うこと）」を通じて、遊技盤を振動させる。これにより、入球装置も振動するため、当該「通常誘導口に進入しようとしている遊技球」には、当該「通常誘導口への進入を阻害するような外力」が負荷される。そして、「本来、通常領域部に到達すべき遊技球が、特別領域部に到達する可能性」を生ずるため、「大当り遊技状態の発生の機会」が不正に拡大することになる。
【００１１】
このような不正行為の防止を意図して以下のような提案がなされている。つまり、図３８に示すように、「遊技盤ＹＢの裏面部に振動検出装置（振動検出センサ）ＳＫを取り付けた遊技機」が提案されている（特許文献１を参照、以下、「従来例」という。）。この遊技機では、遊技盤ＹＢに生ずる振動を振動検出装置ＳＫで検出可能とすることで、不正行為の防止を図らんとしている。
【特許文献１】実開平６−７７８７号公報
【発明の開示】
【発明が解決しようとする課題】
【００１２】
この従来例によると、不正行為の態様によっては、当該不正行為を的確に防止できない可能性がある。つまり、遊技球の重量は軽いため（約；５．４５グラム）であるため、僅かな外力によっても、その進入経路に変化を与えることができる。よって、不正行為者によって入球装置に加えられる振動が弱くても、この遊技球の進入経路に変化を与えることは可能である。このため、不正行為者が、表扉枠の透明板（ガラス板）や上皿部材等を細かく振動させることで、この不正行為を成功させる可能性がある。
【００１３】
ところが、このように、表扉枠の透明板（ガラス板）や上皿部材等を細かく振動させると、「遊技盤ＹＢの振幅」が小さくなるため、「遊技盤ＹＢに単に装着された振動検出装置（遊技盤に固定的に装着された振動検出装置）」ＳＫによっては、遊技盤ＹＢの振動を的確に検出できない可能性がある。つまり、表扉枠の透明板（ガラス板）や上皿部材等を細かく振動させた場合、「重量の大きな遊技盤ＹＢ」に生ずる振動の振幅が小さくなり、遊技盤ＹＢの振動を振動検出装置ＳＫによって的確に検出できない可能性がある。
【００１４】
この点に関し、更に具体的に述べると、例えば、振動検出装置ＳＫを加速度センサで構成する場合、不正行為者が、表扉枠の透明板や上皿部材等を細かく振動させたとき、「遊技盤ＹＢの振動に伴う加速度」が、当該「加速度センサの検出可能な加速度の範囲」より小さくなってしまうことがあり、遊技盤ＹＢの振動をこの加速度センサによって的確に検出できない可能性があるためである。
【００１５】
本発明は、このような問題を解決するためになされたものであり、その目的とするところは、より広範な態様の不正行為を的確に防止できる遊技機を得ることである。
【課題を解決するための手段】
【００１６】
請求項１に記載の遊技機は、
外枠と、
該外枠に開閉動作可能な状態に取り付けられる本体枠と、
表面部が前方に向けられた状態で前記本体枠によって保持されると共に、略板状に構成される遊技盤本体と、該遊技盤本体に対して取り付けられる複数個の遊技盤部品と、を具備する遊技機用遊技盤と、
前記遊技機用遊技盤の表面部を覆う透明板を具備すると共に前記本体枠の表面部側に開放動作が可能な状態で装着される表扉枠と、
前記本体枠の前面部側のうちで、表扉枠の装着位置よりも下方側の部位に装着される上皿部材と、
前記遊技盤本体の振動を検出するための振動検出手段と、
を備える遊技機であって、
前記遊技盤部品のうちの特定の遊技盤部品及び前記遊技盤本体のうちの少なくとも一方において前後方向に設けられたスライド突起と、
前記振動検出手段に設けられると共に前記スライド突起に対して前後方向に沿って摺動可能となる状態に前記スライド突起を挿入するスライド孔と、
を備え、
前記スライド孔に前記スライド突起を挿入することで、前記振動検出手段が前記スライド突起に対して前後方向にスライド可能な状態に装着されていることを特徴とする。
【００１７】
請求項１の発明によると、振動検出手段が盤本体若しくは盤部品に対してスライド可能（前後へのスライド可能）な状態に取り付けられるため、「振動検出手段に生ずる振動」を「遊技盤に生ずる振動」よりも大きくすることができる。よって、「不正行為に際して遊技盤に加えられる振動」が微少であっても、振動検出手段に生ずる振動を大きくすることができるため、不正行為を検出することが容易となる。従って、請求項１の発明の遊技盤を用いると、より広範な態様の不正行為（微少な振動を与えつつ行う不正行為、大きな振動を与えつつ行う不正行為等の広範な態様の不正行為）を的確に防止できる遊技機を得ることができる。
【００１８】
本出願書類において特に断らない場合、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、表扉部材（前面枠）、上皿部材、下皿部材等の扉状部材の「左」、「右」、「前」、「後」等は、これらの扉状部材が使用状態にある場合、つまり、閉鎖された状態にある場合を基準としたものである。
【００１９】
各請求項の発明の「遊技盤」は、合板や樹脂板等で構成される盤本体と、この盤本体に対して取り付けられる複数個の盤部品と、を備えている。これらの盤部品は盤本体に対して固定（ビス止め、接着、若しくはカシメ等によって固定）され、盤本体と一体で振動する。そして、各請求項の発明においては、この「盤部品」を、（ａ）盤本体の裏面部に装着されるタイプの盤部品と、（ｂ）盤本体の表面部にされるタイプの盤部品と、（ｃ）その他のタイプの盤部品に分類することができるが、「特定の盤部品」として、（ａ）〜（ｃ）のうちの何れのタイプの盤部品を選択することもできる。また、各請求項の発明の「遊技盤」は、多数の「盤部品」を備えているが、そのうちの１個若しくは複数個の盤部品を、「特定の盤部品」として選択することができる。更に、各請求項の発明においては、被スライド部を「盤部品」ではなく、盤本体に設けてもよいし、盤部品（特定の盤部品）及び盤本体の双方に設けてもよい。尚、（ｃ）その他の盤部品としては、「盤本体に埋設される盤部品（スピーカユニット等）や、「盤本体を肉厚方向に貫通する状態に装着される盤部品（入球装置等）」を例示できる。
【００２０】
ここで、（ａ）「盤本体の裏面部に取り付けられる盤部品のうちで、特定の盤部品とすることが好適なもの」としては、例えば、球集合部材（所謂、集合板と称する部材）等を例示できる。また、「盤本体の表面部に取り付けられる盤部品のうちで、特定の盤部品とすることが好適なもの」としては、例えば、証紙台、電飾装置（特に、樹脂製のカバー体）等を例示できる。
【００２１】
請求項１〜４の発明においては、盤本体の表面部や盤本体の表面部に取り付けられる盤部品に対してスライド突起を設ける態様（以下、「前者の態様」という。）を採用してもよいし、盤本体の裏面部や盤本体の裏面部に取り付けられる盤部品に対してスライド突起を設ける態様（以下、「後者の態様」という。）を採用してもよい。また、「前者の態様」と「後者の態様」の双方を実行することができる。但し、「後者の態様」を採用することが特に好適である。蓋し、後者の態様によると、遊技盤の裏側に「振動検出手段」が取り付けられ、不正行為者にとっては「振動検出手段」の確認がより困難若しくは不可能となる。このため、不正行為者にとっては、不正行為をより遂行し難い遊技盤（例えば、不正行為の実行を、ちゅうちょしたくなる遊技機）となり易い。また、盤本体の裏面部や盤本体の裏面部に装着される盤部品においては、「振動検出手段を装着するための空き領域」や「振動検出手段をスライドさせるための動作領域」を確保することが容易であるからである。
【００２２】
次に、後者の態様の更に好適な態様を例示する。即ち、（１）盤本体の裏面部において上皿部材の背後（裏側）に位置する部位にスライド突起を設ける態様（以下、「具体例１」という。）や、（２）盤本体の裏面部において、上皿部材の背後（裏側）に位置する部位に装着される盤部品にスライド突起を設ける態様（以下、「具体例２」という。）等を例示できる。蓋し、遊技機の前面部側のうちで、不正行為者にとって最も不正行為を施し易い箇所（最も手軽に振動を与えることができる箇所）は、不正行為者の腕の近くに突出する上皿部材である。このため、上皿部材の背後（裏側）に振動検出手段を取り付けることで、不正行為者が施す「不正な振動」を検出し易くなるからである。尚、具体例２を構成する盤部品としては、球集合部材を例示できる。この球集合部材は、所謂「集合板」と称する部品であって、遊技盤の表面部側から裏面部側に導かれる遊技球を集合させて、島設備に変換するための盤部品である。この盤部品は、例えば、略容器形状に構成され、その開口部を盤本体の裏面部に当接させた状態で、盤本体の裏面部に装着固定される。この球集合部材にスライド突起を設ける態様では、球集合部材の内壁部（盤本体の裏面部と対向する面）にスライド突起を設けることが更に望ましい。この場合、盤本体の裏面部と、球集合部材とで挟まれた空間部内に振動検出手段を配置できるため、振動検出手段の保護（例えば、遊技盤の搬送の際に振動検出手段に破損を生ずることからの保護）することができるからである。
【００２３】
また、後者の態様の更に好適な他の態様としては、（３）「盤本体の裏面部において所定の入球装置（不正行為の対象となる入球装置）の背後（裏側）に位置する部位」に、スライド突起を設ける態様（以下、「具体例３」という。）や、（４）「盤本体の裏面部において所定の入球装置（不正行為の対象となる入球装置）の背後（裏側）に位置する部位に対して装着される盤部品」に、スライド突起を設ける態様（以下、「具体例４」という。）等を例示できる。蓋し、遊技機の前面部側のうちで、不正行為者が最も不正行為を施したい箇所は、不正行為の対象となる入球装置の前方に位置する箇所であるからである。
【００２４】
振動検出手段は、振動検出装置部（所謂、振動検出用センサと称する電子部品であって、参考発明では「振動検出装置」と表記する。）のみで構成されてもよいし、この振動検出装置部（後述する参考発明では、振動検出装置）と振動検出装置部を保持する保持部材とを備える構成（請求項４の発明及び後述する参考発明を参照）とされてもよい。また、振動検出装置部の態様も種々選択でき、例えば、加速度センサ（フォトセンサ式の加速度センサ、磁気加速度センサ、若しくは振動加速度センサ等）を用いた振動検出装置部、速度センサ（例えば、動電式速度センサ）、変位センサ（静電容量、渦電流方式、歪みゲージ式等）等を例示できる。
【００２５】
各請求項の発明において、「振動検出手段のスライドの態様」は、振動検出手段がスライド突起に対して前後にスライドする態様である。この「〜前後にスライドする態様」とするのは、不正行為者が遊技機の負荷する振動は、前後方向への振動である可能性が高いが、「〜前後にスライドする態様」によると、この「前後方向への振動」を拡大することが容易であるからである。
請求項２の発明の遊技機は、請求項１の発明の遊技機において、
前記遊技盤部品のうちの特定の遊技盤部品及び前記遊技盤本体のうちの少なくとも一方には、左右一対のスライド突起が設けられ、
前記振動検出手段には、左側のスライド突起に対して前後方向に沿って摺動可能となる状態に該左側のスライド突起を挿入するスライド孔と、右側のスライド突起に対して前後方向に沿って摺動可能となる状態に該右側のスライド突起を挿入するスライド孔と、が設けられることを特徴とする。
【００２６】
各請求項の発明において、「スライド突起に装着される振動検出手段」がスライド可能な量（スライド量）は種々選択できるが、例えば、１ｍｍ以上で、２０ｍｍ以下とすることが望ましい。１ｍｍ未満とすると、遊技盤に与えられる振動が微少である場合に、振動検出手段に生ずる振動を十分に大きくすることができず、２０ｍｍを超えると、振動検出手段の振動に対する感度が必要以上に高くなり、「遊技機の使用上の支障を来す」可能性があるからである。尚、この変位量を、２ｍｍ以上で、１０ｍｍ以下とすることが更に好ましい。
【００２７】
請求項３の発明の遊技機は、請求項１又は２に記載の遊技機において、
前記スライド突起が前記スライド孔から抜け出ることを防止するための抜け止め手段が前記スライド突起に設けられることを特徴とする。
【００２８】
請求項１の発明によると、スライド突起とスライド孔との摺動を用いて、振動検出手段が被スライド部に対して円滑に往復動する。このため、遊技盤に与えられる振動が微少であっても、振動検出手段に生ずる振動が円滑に拡大することができる。
【００２９】
本明細書の「スライド突起」の態様は種々選択でき、断面（軸心方向に沿った断面）が略真円形の突起の他に、この断面が、略楕円形、略長円形、略三角形、略多角形、その他の形状とすることもできる。このスライド突起は断面積（太さ）は軸心方向に沿って一定とされてもよし、変化しても（例えば、テーパ状に変化）してもよい。また、抜け止め手段としては、例えば、スライド突起の端部（突端部）に螺合されるネジ部材（雌ネジ部材であっても、雄ネジ部材であってもよい。）を用いて構成される抜け止め手段や、雄ネジ部材（例えば、ビス）とワッシャーとを用いて構成される抜け止め手段等を例示できる。更に、スライド突起の端部（突端部）を「かしめて」構成される抜け止め手段を例示することもできる。但し、抜け止め手段をネジ込み式とする場合、そのネジ込み量を調節することで、「振動検出手段が摺動可能な量」を調節することができる。
【００３０】
請求項４の発明の遊技機は、請求項１〜３の何れか一項に記載の遊技機において、
前記振動検出手段は、振動検出装置部と該振動検出装置部を保持する保持部材とを具備し、
前記保持部材が前記スライド突起に対して前後方向にスライド可能な状態に装着されることを特徴とする。
【００３１】
請求項４の発明では、保持部材を介して振動検出装置部（振動検出用センサ）を被スライド部に装着するため、各請求項の発明の遊技盤の構成部品として、「市販品の振動検出装置部（振動検出用センサ）」をそのまま利用することができる。尚、「市販品の振動検出装置部（振動検出用センサ）」は、一般的に、センサ本体と、このセンサ本体を被覆する外郭体（例えば、樹脂によって構成）とを備える。そして、請求項４の発明の保持部材を用いない場合には、例えば、この外郭体が、被スライド部に対して変位可能な状態に装着されることになる。このため、外郭体に対してスライド孔等を付加・形成することが必要となる。
【００３２】
請求項５の発明の遊技機は、請求項１〜４の何れか一項に記載の遊技機において、
前記特定の遊技盤部品は、前記遊技盤本体の裏面部に装着されると共に前記遊技機用遊技盤の表面部側から裏面部側に導かれる遊技球を集合させる球集合部材であり、
前記スライド突起は、前記球集合部材の内壁部に設けられていることを特徴とする。
【００３３】
請求項１〜５の各発明によると、より広範な態様の不正行為を的確に防止できる遊技機を得ることができる。
【００３４】
尚、請求項１〜５の各発明の発明の遊技機は、（１）所定の設置部位（パチンコホールの島設備に設けられる設置部位）に固定される外枠と、（２）該外枠に開閉動作可能な状態に取り付けられる本体枠と、（３）表面部が前方に向けられた状態で前記本体枠によって保持される遊技盤（請求項１乃至請求項５の何れか一項に記載の発明に係る遊技盤）と、備えている。
【００３５】
本明細書において参考的に開示する参考発明（以下、「参考発明」という。）の振動検出手段の装着方法は、
略板状に構成される盤本体と、該盤本体に対して取り付けられる複数個の盤部品とを具備する遊技機用遊技盤に振動検出装置を装着するための振動検出装置の装着方法であって、
前記振動検出装置を保持部材によって保持すると共に、
特定の盤部品及び前記盤本体のうちの少なくとも一方に設けられるスライド突起を、前記保持部材に設けられるスライド孔に摺動可能な状態で挿入して、前記保持部材を前記スライド突起に対してスライド可能な状態とし、
前記スライド突起が前記スライド孔から抜け出ることを防止するための抜け止め手段が、前記スライド突起に設けられることを特徴とする。
【００３６】
参考発明の遊技盤を用いると、より広範な態様の不正行為を的確に防止できる遊技機を得ることができる。
【００３７】
各請求項の発明は、例えば、（ａ）羽根物の特徴を兼ね備えるセブン機（以下、「羽根物型セブン機」といい、詳細に関しては後述する。）、（ｂ）羽根物（以下、「純粋羽根物」といい、詳細に関しては後述する。）、（ｃ）羽根物の特徴を兼ね備える権利物（以下、「羽根物型権利物」といい、詳細に関しては後述する。）、（ｄ）羽根物の特徴を兼ね備えるアレンジボール（以下、「羽根物型アレンジボール」といい、詳細に関しては後述する。）等に対して好適に適用できる。但し、各請求項の発明の適用対象は、これらの遊技機に限定されず、例えば、羽根物の特徴を備えないセブン機（以下、「純粋セブン機」という。）に対しても適用できる。尚、以下の説明おいて、「羽根物の特徴を備える遊技機（つまり、羽根物型セブン機、純粋羽根物、羽根物型アレンジボール及び純粋セブン機）」の総称として「羽根物型の遊技機」を用いることとする。
【００３８】
ここで、各請求項の発明が「羽根物型の遊技機」に対して適用される場合、当該遊技機は、以下のような「誘導装置付きの入球装置（つまり、前述の羽根物型の入球装置）」を備えることになる。
【００３９】
即ち、「遊技盤（請求項１〜請求項５のうちの何れか一項に記載の発明に係る遊技盤である。）の表面部に形成される遊技領域を流下する遊技球が入球可能な入球口と
該入球口を閉鎖する状態に配設されると共に開放動作実行条件が成立すると、該入球口を一定時間開放する開放動作を所定の動作パターンに従って実行する開閉部材と、
遊技球が通過可能な特別領域部及び通常領域部と、
前記入球口から入球した遊技球を前記特別領域部及び前記通常領域部のうちの一方に誘導するための誘導装置と、
を有する入球装置（誘導装置付きの入球装置）」
を備えることになる。
【００４０】
尚、この「誘導装置付きの入球装置」は、当該入球装置に遊技球が入球することに伴って遊技機に賞球動作を実行させる入球装置（賞球を伴う入球装置、つまり、入賞装置）であっても、入球装置に遊技球が入球しても、遊技機に賞球動作を実行させない入球装置（賞球を伴わない入球装置）であってもよい。また、この入球装置は、複数（特に、２つ）の入球口を備えてもよいし、１つの入球口のみを備えてもよい。また、この「羽根物型の遊技機」では、特別遊技実行手段を備えてもよい。そして、遊技球が特別領域部を通過することに起因して特別遊技移行手段が当該遊技機の遊技状態を通常遊技状態から特別遊技状態（つまり、大当り遊技状態）に移行させることとしてもよい。
【００４１】
この「羽根物型の遊技機」を構成する「開閉部材」の駆動態様としては、例えば、遊技球の入球が不可能となるように入球口を閉鎖する閉鎖状態と、遊技球の入球が可能となるように入球口を開放する開放状態との間で開閉部材の状態を変化させる駆動態様を例示できる。更に、この「開閉部材」としては、「開閉羽根」方式の開閉部材（つまり、下端部側が軸支されると共に、上端部を略鉛直上方に向ける起立姿勢と、上端部を斜め上方に向ける傾動姿勢と、の間で姿勢変更可能とされた開閉部材）の他に、「並進方式」の開閉部材を例示することもできる。この「並進方式」の開閉部材としては、入球口の中心部（左右方向に沿った中心部）を基準に左右一対で配設され、横方向に沿って相互に離間するように並進することで入球口を開放し、横方向に沿って相互に近接若しくは接触するように並進することで入球口を閉鎖するものを例示できる。
【００４２】
「羽根物型の遊技機」における「開放動作実行条件」は、開閉部材が開放動作を行うための条件であり、例えば、（１）「遊技領域に配設された別の入球装置（各請求項に示す入球装置とは異なる入球装置であって、例えば、始動入球装置）」に遊技球が入球する度に成立する態様、（２）当該遊技機の遊技状態が、この別の入球装置（始動入球装置）に遊技球が入球することに基づいて、遊技機を構成する判定手段が判定を行い、この判定結果が小当りである場合に成立する態様、等を例示できる。尚、以下の説明において、この「別の入球装置」の一態様を、「開閉動作始動入球装置」と称することがある。尚、「開放動作を行う開閉部材の動作パターン」としては、（ａ）単発的な開放動作（１回の開放動作）のみを行う動作パターンや、（ｂ）複数回の開放動作を行う動作パターンを例示できる。
【００４３】
ここで、「羽根物型セブン機」としては、（ａ）誘導装置付きの入球装置と、（ｂ）始動入賞装置と、（ｃ）遊技機の遊技状態を通常遊技状態から大当り遊技状態（つまり、特別遊技状態）に移行させるか否かの判定（以下、「大当り判定」という。）及び遊技機の遊技状態を通常遊技状態から小当り遊技状態（開閉部材に所定の態様で開閉動作を実行させる状態）に移行させるか否かの判定（以下、「小当り判定」という。）を行う判定手段と、（ｄ）この判定の結果を示す判定結果図柄の確定表示等を行う図柄表示手段（例えば、ＬＥＤランプや、液晶表示装置等によって構成）と、（ｅ）大入賞装置と、（ｆ）大当り遊技（つまり、特別遊技）の実行許容条件の成立中に、遊技機の遊技状態を特別遊技状態に移行させる特別遊技移行手段と、を備える遊技機を例示できる。尚、以下の説明において、「大当り判定」及び「小当り判定」をまとめて、「当否判定」と称することがある。
【００４４】
この「羽根物型セブン機」では、「遊技領域に配設される始動入賞装置」へ遊技球が入賞（以下、「始動入賞」という。）」したことが検出されることを前提として、「当否判定」の実行条件が成立する。この「当否判定」の実行条件が成立し、更に、この「判定の結果を示す図柄（判定結果図柄）」の表示実行条件が成立すると、図柄表示手段において、先ず、演出表示が実行される。この演出表示は、例えば、ＬＥＤランプを駆動（点滅、点灯等）させたり、液晶表示装置等で、「複数の識別図柄（つまり、特別図柄）を順次、循環表示させて行われる（つまり、変動表示が行われる）。そして、この演出表示を所定の変動時間行った後に、図柄表示手段において、判定結果図柄が確定表示（停止表示）される。
【００４５】
この判定結果図柄が大当り図柄（判定結果が大当りであったことを示す図柄）である場合と、所定の条件の成立時（既に、大当り遊技の開始条件が成立していない時）において前述の特別領域部を遊技球が通過した場合とに、特別遊技移行手段は、大当り遊技（特別遊技）の実行許容条件の成立中、当該遊技機の遊技状態を特別遊技状態に移行させる。そして、遊技機の遊技状態が「大当り遊技状態（特別遊技状態）」に移行すると、大入賞装置を構成する開閉部材（以下、「開閉扉」に、所定の回数（所謂、「ラウンド数」であって、例えば、１４〜１６回）に渡って「単位動作」が施される。
【００４６】
ところで、「羽根物型セブン機」の中には、誘導装置付きの入球装置とは別に、大入賞装置（大当り中に使用する入賞装置）を備えるもの（以下、「独立タイプ」という。）と、誘導装置付きの入球装置が大入賞装置を兼用するもの（以下、「兼用タイプ」という。）とが存在する。そして、独立タイプの場合、遊技機の遊技状態が「大当り遊技状態（特別遊技状態）」に移行すると、大入賞装置の開閉扉の開放動作を行って、閉鎖状態にある大入賞装置を開放状態に変化させ（アタッカータイプの場合）、これにより、大入賞口への遊技球の入賞が可能となる。若しくは、一対の翼片部の上端部間の間隔が拡大させ（チューリップタイプの場合）、これにより、大入賞口への遊技球の入賞が容易となる。また、兼用タイプの場合は、開閉部材の状態が開放状態に維持され、これにより、大入賞口への遊技球の入賞が可能となる。尚、「羽根物型セブン機」において、「通常遊技状態」とは、大入賞口の開放許容条件を継続的に不成立とし、「大入賞口の閉鎖状態を継続する遊技状態」を指す。また、セブン機において、「大当り遊技状態」とは、大入賞口の開放許容条件を、所定回数に渡って間欠的に成立させ、「大入賞口の開放状態を、間欠的に実現させる遊技状態」を指す。
【００４７】
大入賞装置が何れのタイプ（独立タイプ、兼用タイプ）であっても、大入賞装置を開放状態に変化させた後、この大入賞装置（大入賞口）に所定個数の遊技球が入賞するか、所定時間が経過することにより、一旦、閉鎖動作（アタッカータイプにあっては、開閉扉の閉鎖動作、チューリップタイプにあっては、一対の翼片部の上端部間の間隔を縮小する動作、兼用タイプにあっては、入球口を閉鎖する動作）を行い、大入賞装置を閉鎖状態とし、「１回の単位動作（所謂、１つのラウンド）」を完了する。つまり、大入賞装置を閉鎖状態から開放状態とし、再び、閉鎖状態に戻す、単位動作を完了する。そして、この「単位動作」が、所定の回数（所謂、「ラウンド数」）だけ繰り返されると、この遊技機の遊技状態は「大当り遊技状態」から「通常遊技状態」に戻される。
【００４８】
「羽根物型セブン機」の「判定実行条件」は、例えば、遊技領域に配設された「始動入賞装置」への遊技球の入賞（つまり、始動入賞）が、検出されることを前提に成立する。尚、この検出は、通常、「始動入賞装置」に設けられた「判定始動検出手段（判定始動検出スイッチ）」によって行われる。また、「表示実行条件」は、始動入賞を生ずることを前提に、判定結果図柄の表示時期が到来すると、成立する。この「表示実行条件」は、当該遊技機において生じ得る全ての始動入賞に対応して成立させてもよいが、通常、所定の制限の下で成立する。即ち、保留数に上限数がある場合には、当該保留数が当該上限数に達した状態にて、始動入賞を生じても、「表示実行条件」を不成立とする（つまり、当該始動入賞を無視する。）。
【００４９】
即ち、（１）「図柄表示手段」が、先行する他の始動入賞に起因する「各種の表示」を実行中でなく、しかも、先行する他の始動入賞に関する始動記憶が存在しない状態で、始動入賞を新たに生じたケースでは、そのまま、当該「新たに生じた始動入賞」に係る「表示実行条件」が成立する。ところが、（２）先行する他の始動入賞に起因する「各種の表示」を実行中か、先行する他の始動入賞に関する始動記憶が存在する状態で、始動入賞を新たに生じたケースでは、当該始動入賞時における保留数が、上限数に達していない場合に限り、当該「新たに生じた始動入賞」に関するデータ（判定結果に関するデータ等）を保留記憶（保留データ）として取り扱う。そして、当該「保留記憶」に先行する他の保留記憶に基づく、「各種の表示」を完了し、当該「保留記憶」に基づく、「各種の表示」の実行時期が到来したときに、当該「保留記憶」に関し、「表示実行条件」が成立する。ここで、始動入賞（始動記憶）に起因する「各種の表示」とは、当該「始動入賞」に伴って行われた判定結果に関連する表示であって、「演出表示（例えば、変動表示）」や当該「他の始動入賞に起因する判定結果図柄の確定表示」等を指す。
【００５０】
「純粋羽根物」では、例えば、以下のような構成を備えることになる。つまり、（ａ）誘導装置付きの入球装置と、（ｂ）この入球装置とは別の入球装置（つまり、前述の「開閉動作始動入球装置」）と、を備える遊技機を例示できる。この「純粋羽根物」では、開閉部材（開閉羽根）が開閉動作を行っていないときに（つまり、入球口の閉鎖した状態にあるときに）、「開閉動作始動入球装置」に遊技球が入球すると、開閉部材が通常開閉動作（０．３秒間、若しくは、０．４秒間等の短時間に行われる開閉動作の意味で用いる。）を実行し、この通常開閉動作の実行中に、遊技球が、前述の「特別領域部」を通過すると、特別遊技移行手段は、遊技機の遊技状態を特別遊技状態に移行させる。即ち、特別遊技の実行許容条件の成立中において、遊技機の遊技状態を通常遊技状態から特別遊技状態（つまり、大当り遊技状態）に移行させる。
【００５１】
この特別遊技（状態）においては、開閉部材が一定間隔で特別開閉動作（特別遊技中の開放動作を意味し、例えば、開閉部材が０．８秒間等の長時間、開放状態に移行し、その後、開閉部材が０．８秒間、閉鎖状態を維持する動作を１回の特別開閉動作とする。）を繰り返し、設定の繰り返し回数（例えば、１８回）まで、開閉部材が特別開閉動作を実行するか、設定個数（例えば、１０個）以上の入球（入球装置への入球）があるか、若しくは、遊技球が特別領域部を通過すると、１つのラウンドに係るラウンド賞球遊技が終了する。このラウンド賞球遊技の間に、少なくとも１球の遊技球が、前述の特別領域部を通過すれば、特別遊技の継続条件が成立し、同様なラウンド賞球遊技が再度、実行される。そして、特別遊技の終了条件が成立するまでの間、ラウンド賞球遊技が繰り返し実行される。ここで、特別遊技の実行許容条件は、終了したラウンド賞球遊技の回数（ラウンド数）が上限回数（例えば、１５ラウンド）となるか、終了したラウンド賞球遊技の実行中に継続条件が成立しなかった場合に不成立となる。
【００５２】
「羽根物型権利物」では、例えば、以下のような構成を備えることになる。つまり、誘導装置付きの入球装置と、この入球装置とは別の入球装置（以下、「権利物用大入賞装置」という。）と、を備えると共に、当該誘導装置付きの入球装置を、権利獲得用の入賞装置として用いる遊技を例示できる。この「羽根物型権利物」においては、特定条件を充足すると、権利獲得用の入賞装置の開閉部材の状態が、入球口を閉鎖する閉鎖状態から、入球口を開放する開放状態に変化する。そして、開閉部材の状態が開放状態にある間に、権利獲得用の入賞装置内の特別領域部に所定数（例えば、１球）の遊技球を通過させることによって、「遊技価値権利」が獲得される。この権利により、「権利物用大入賞装置」が、開閉を繰り返す大当り遊技状態（特別遊技状態）が発生する。
【００５３】
「羽根物型アレンジボール（組合せ式遊技機）」では、例えば、以下のような構成を備えることになる。つまり、遊技盤（請求項１〜請求項５のうちの何れか一項に記載の発明に係る遊技盤）に、（ａ）誘導装置付きの入球装置と、（ｂ）遊技球が入球可能な複数の入球領域を備える入球領域群と、（ｃ）個々の入球領域への遊技球の入球に応じた入賞情報を表示する入賞情報表示手段と、（ｄ）所定の識別図柄の変動表示と停止表示とを実行可能な可変表示装置（図柄表示手段）と、を備える遊技機を例示できる。
【００５４】
この遊技機では、規定数（例えば、１５個又は１６個）の遊技球を発射して一単位遊技を行い、この一単位遊技で該入賞情報表示手段に表示された入賞情報の組合せから賞態様を決定して、該賞態様に応じて定められた賞遊技価値を付与される。つまり、この「羽根物型アレンジボール」では、発射された遊技球が、入球領域群を構成する個々の入球領域へ入球すると、個々の入球領域と対応する入賞図柄が、入賞情報表示手段に点灯表示するように構成される。そして、規定数の遊技球を発射すると、入球した入球領域の組合せに応じた「入賞図柄の組合せ」が表示される。そして、「表示された入賞図柄の組合せ」が、予め定められた図柄の組合せである場合には得点が付与され、この得点に応じた賞球が遊技者に払い出される。
【００５５】
このようなアレンジボール機（羽根物型アレンジボール）の中には、複数の識別図柄を変動停止表示する可変表示装置を備え、その可変表示装置に停止表示された識別図柄が予め定められた特定の図柄となった場合に、得点を容易に得ることが可能なように構成されたものもある。そして、誘導装置付きの入球装置は、このようなアレンジボール機に対して、以下のように適用される。
【００５６】
即ち、可変表示装置で停止表示された識別図柄が特定の図柄である場合、誘導装置付きの入球装置を構成する開閉部材の状態を、入球口を閉鎖する閉鎖状態から、入球口を開放する開放状態に変化させ、入球装置に遊技球が入球した場合、若しくは、入球せずに所定回数の単位遊技を終了した場合、開閉部材の状態が閉鎖状態に戻される。そして、誘導装置付きの入球装置に入球した遊技球が、特別領域部を通過すると、特別遊技移行手段（つまり、大当り遊技移行手段）は、遊技機の遊技状態を大当り遊技状態（特別遊技状態）とする（大当り遊技状態に制御する。）。即ち、特別遊技の実行許容条件の成立中において、遊技機の遊技状態を通常遊技状態から特別遊技状態に移行させる。
【００５７】
尚、アレンジボール機（羽根物型アレンジボール）においては、入球領域群を構成する各入球領域が、遊技球の入球の難易に応じて、「普通入球領域」と「難入球領域」とに区別される。つまり、入球領域群の上方には、多数の障害釘が配置され、これらにより、遊技球の直接の入球が相対的に容易とされる「普通入球領域」と、遊技球の直接の入球が相対的に困難とされる「難入球領域」とに区別される。そして、遊技機の遊技状態が特別遊技状態となると、例えば、所定条件下で、役物作動口を開放させ、開口した役物作動口に遊技球を入球させると、「難入球領域」に対応する入賞図柄を含んだ複数の入賞図柄が連続点灯表示され、得点の成立が容易にさせるよう設定している。
【００５８】
各請求項の発明の適用される遊技機、若しくは、このような遊技機が設置されるパチンコホールは、
所定の振動パターンを記憶する振動パターン記憶手段と、
振動検出手段によって検出した振動を振動パターン記憶手段に記憶された振動パターンと照合して当該検出した振動が適正振動であるか、不正振動であるかを判定する判定手段と、
前記判定手段が不正振動であると判断した場合に、警報信号を発信する警報信号発信手段とを備えてもよい。
【００５９】
また、各請求項の発明の適用される遊技機、若しくは、このような遊技機が設置されるパチンコホールは、この警報信号発信手段と共に、若しくは、警報信号発信手段の代わりに、不正振動発生報知手段（前記判定手段が不正振動であると判断した場合に、照明、音、液晶表示装置の表示画面等を用いて不正振動の発生を報知する手段）や不正行為記録手段（不正行為を記録するカメラや、パチンコホールの監視カメラのレンズを、当該遊技機に向ける手段）を備えてもよい。
【００６０】
ここで、「適正振動」とは、公正の遊技の際に遊技機において不可避的に生ずる振動であり、（１）遊技盤面、球集合部材等を遊技球が転動する際の振動、（２）上皿部材や下皿部材に遊技球が投入される際の振動、（２）上皿部材を遊技球が転動する際の振動、（３）上皿部材や下皿部材から遊技球を抜き取る際の振動、（４）遊技者（当該遊技機で遊技を行う遊技者や隣の遊技機で遊技を行う遊技者）の手や体が、遊技機に触れたり、これらの遊技者が遊技機に適正な操作（例えば、上皿部材や下皿部材から遊技球を抜き取る際のレバー操作等）等を例示できる。また、「不正振動」とは、遊技機に不正行為を施すことによって遊技機に生ずる振動である。
【００６１】
そして、通常、「不正振動」と「適正振動」とは、振幅、強度、頻度のうちの何れかが異なる。例えば、不正振動は適正振動に比べて、振幅が大きくなったり、ある特定時期（例えば、誘導装置付きの入球装置おいて、入球口が開放動作を行った後、所定の時間内））に振動が頻度が高くなること等がある。このため、「適正振動」と、「不正振動」との振動パターンの相違に着目して、検出された振動が適正振動であるか、不正振動であるかを判定することができる。
【発明の効果】
【００６２】
以上記述したように、各請求項の発明によると、より広範な態様の不正行為を的確に防止できる遊技機を得ることができる。
【発明を実施するための最良の形態】
【００６３】
以下、発明を実施するための最良の形態を示す実施例について図面に基づいて説明する。以下に示す各実施例では、各請求項の発明を「羽根物型セブン機」に適用した具体例について説明する。
【００６４】
（１）機械的な構造
ａ．遊技機の前面側の全体構造
先ず、この遊技機１の全体構造について、図１〜図５を参照して説明する。この遊技機１は、図１及び図２に示すように、外枠２と、この外枠２に装着された遊技機本体Ｈと、を備えている。
【００６５】
このうち、外枠２は、図３及び４に示すように、パチンコホールの島設備Ｓに設けられた設置部位Ｓ１に固定されると共に、遊技機本体Ｈを支持するためのものである。この外枠２は、図１及び２に示すように、略矩形状の枠状体によって構成される外枠本体２１と、外枠本体２１の前面下部を覆う前板部２２と、を備えている。このうち、外枠本体２１は、上下に一対の水平板２１ａと、左右に一対の立設板２１ｂと、を備えている。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００６６】
遊技機本体Ｈは、図１に示すように、外枠２の左端側上下のヒンジＨ１、Ｈ２を用いて、外枠２の左端側に回動自在に組み付けてられている。この遊技機本体Ｈは、遊技機１のうちで外枠２を除く部分であって、本体枠３と、ガラス扉枠（前面枠）４と、上皿部材５と、下皿部材６と、遊技盤１０（図５を参照）と、裏機構盤１０２（図３６を参照）等を主要部としている。
【００６７】
本体枠３は、全体がプラスチック製であり、図３に示すように、外枠２の内側に嵌めこまれ、外枠２に対して開閉可能に軸支されている。つまり、本体枠３の左端側の上下が、外枠２に対して軸支され、外枠２に対して開閉可能とされている。また、本体枠３のうちで上方側及び中間側の部位には、図４に示すように、この部位を前後を貫通する状態に窓部３Ｍが設けられている。そして、本体枠３の後面部のうちで、この窓部３Ｍを取り囲む部位からは、遊技盤１０が挿入される保持用突出部３３ｇが突出している。この保持用突出部３３ｇは、本体枠３の後方に突出しつつ、略矩形型の枠形状に構成され、遊技盤１０に厚みに相当する奥行き（前後幅）を有している。
【００６８】
この保持用突出部３３ｇは、その後方から、遊技盤１０（図５参照）を受け入れて保持する（図４参照）。この保持用突出部３３ｇに保持される遊技盤１０は、その前面部（つまり、表面部）１０ａが前方に向けられる。そして、この前面部１０ａの主要の部位（遊技領域１１を形成する部位を含む主要な部位）が、窓部３Ｍを通じて、本体枠３の前方から視認可能とされている。尚、遊技盤１０は、盤本体１０Ｈと、この盤本体１０Ｈに装着される複数個の盤部品（球集合部材８０、外側レール１２、内側レール１３等）とを備えるが、それらの詳細に関しては後述する。
【００６９】
図４に示すように、本体枠３の右端側の後面部であって、保持用突出部３３ｇの右側方に位置する部位に、施錠装置７が装着されている（図１を参照）。この施錠装置７は、上下に長尺状とされており、その前面部を、本体枠３の後面部に当接させた状態で本体枠３に装着されている。この施錠装置７の前面部では、上端部側と中間部とにおいて、係合部７Ｋ、７Ｋを前方に突出させている。
【００７０】
ガラス扉枠（表扉枠）４は、図４に示すように、本体枠３の前面部側において開閉動作可能な状態に配置されている。つまり、ガラス扉枠（表扉枠）４の左端部の上下が、上下一対のヒンジｈ、ｈを介して、本体枠３の左端部に支持されている（図１を参照）。このガラス扉枠４は、その後面部を本体枠３の前面部に近接させて、本体枠３に対して閉鎖された状態となる。このガラス扉枠４は、扉枠本体４１と、ガラス板４３と、ガラス板４３を扉枠本体４１に保持させる（取り付ける）ための保持部材（図示を省略）と、を備えている。尚、保持部材を扉枠本体４１に対して一体的に設けることもできる。
【００７１】
扉枠本体４１は、レンズ状のプラスチックを主体に構成され、図４に示すように、円形状の開口部４１ａを有している。この開口部４１ａは、扉枠本体４１の前面部及び後面部を貫通する状態に設けられている。そして、ガラス扉枠４を閉じた状態としたときに、ガラス扉枠４の奥側（背後）に配置される遊技盤１０の盤面（遊技領域１１）を、前方（遊技者の側）から視認可能とするためのものである。つまり、この開口部４１ａは、遊技盤１０に形成された遊技領域１１（図５参照）の形状に対応して、略円周状に開設されている。また、ガラス板４３は、開口部４１ａにおいて、その後端側に位置する部位に、はめこまれている。このため、ガラス扉枠４の前方から、開口部４１ａを覗き込むと、ガラス板４３を透かして、ガラス扉枠４の後方を視認可能とされている。
【００７２】
尚、扉枠本体４１の後面部において、開口部４１ａの右側方に位置する部位からは、２つの係合突起が突出している（図示を省略）。これらの係合突起は扉枠本体４１の後方に突出する状態に配設されている。また、これらの係合突起は、略Ｌ字状の板状体を用いて構成され、突端部を、扉枠本体の右側方に向けている。そいて、「本体枠３に対して開放状態」にあるガラス扉枠４を、「本体枠３に対して閉鎖状態」にすると、前述の係合部７Ｋが係合突起に係合し、ガラス扉枠４は本体枠３に施錠される。また、ガラス扉枠４を解錠する場合、所定の鍵を用いて施錠装置７を操作し、係合部７Ｋの係合突起に対する係合を解除される。この状態で、ガラス扉枠４を手前に引くと、ガラス扉枠４を本体枠３に対して全開状態とすることができる。
【００７３】
図２に示すように、ガラス扉枠４において、開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプと、を備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。
【００７４】
図１及び図２に示すように、ガラス扉枠４の上端部側の左右には、各々、スピーカーＳＰ１、ＳＰ２（図３４参照）が内蔵されている。また、本遊技機１においては、前板部２２の左右両端にも、スピーカーＳＰ３、ＳＰ４（図３４参照）が内蔵されている。このため、本遊技機１においては、前面部の４隅にスピーカーＳＰ１〜ＳＰ４を配置することで、「４ウェイのスピーカーシステム」を構成している。そして、本遊技機１においては、これらのスピーカーＳＰ１〜ＳＰ４を用いて、遊技状態に応じた効果音その他の音（音声）を発生させる。
【００７５】
図２に示すように、このガラス扉枠４の右下方側であって、開口部４１ａの外周縁の外側に位置する部位（つまり、ガラス扉枠の右下の角部寄りの箇所）には、右下窓部４１Ｒが設けられ、ガラス扉枠４の左下方側であって、開口部４１ａの外周縁の外側に位置する部位（つまり、ガラス扉枠の左下の角部寄りの箇所）には、左下窓部４１Ｌが設けられている。また、右下窓部４１Ｒ及び左下窓部４１Ｌは、開口形状が略楕円形状とされつつ、ガラス扉枠４の前後を貫通する開口部（窓部）によって構成されている。また、ガラス扉枠４の後面部において、右下窓部４１Ｒと、左下窓部４１Ｌの後方に位置する部位には、透明板（ガラス板）が装着されている。このため、ガラス扉枠４の前方から、右下窓部４１Ｒ及び左下窓部４１Ｌを観察すると、この透明板（ガラス板）を透かして、ガラス扉枠４の後方を視認可能である。
【００７６】
遊技盤１０の前面部１０ａにおいて、右下窓部４１Ｒの後方に位置する部位には、証紙台５００が装着されている（図２を参照）。そして、ガラス扉枠４を閉じた状態としたときに、この証紙台５００に貼付された証紙５００Ｓは、右下窓部４１Ｒを通じて、ガラス扉枠４の前方から視認可能（透明板を透かして視認可能）とされている。また、遊技盤１０の前面部１０ａにおいて、左下窓部４１Ｌの後方に位置する部位には、「当該遊技機１のスペック（大当りを生ずる確率、大当り中に実行されるラウンド数等）を表示するための表示部材（ラベル等）５５０Ｋ」が装着されている（図２を参照）。そして、ガラス扉枠４を閉じた状態としたときに、この表示部材５５０Ｋは、左下窓部４１Ｌを通じて、ガラス扉枠４の前方から視認可能（透明板を透かして視認可能）とされている。
【００７７】
遊技機本体Ｈの前面部のうちで、ガラス扉枠（前面枠）４の下方の部位が、上皿部材５と下皿部材６とを備える構成とされている。つまり、上皿部材５は、ガラス扉枠（前面枠）４の下方に配置され、下皿部材６は上皿部材５の下方に配置されている。また、上皿部材５は、遊技機１の内部の遊技球を、この上皿部材５に排出するための排出口５ｂ等を備えている。尚、上皿部材５の裏側には、球貸表示基板４１０（図３３参照）及び演出ボタン基板２２８（図３４参照）が設けられ、上皿部材５の上面部には「球貸操作部５ｃ」と、操作スイッチＳＷとが配置されている。また、上皿部材５の外郭部分も、レンズ状のプラスチックを主体され、上皿部材５の内部にも、ＬＥＤ基板４ｉが内蔵されている（図２を参照）。
【００７８】
図１及び図２に示すように、下皿部材６の略中央には、遊技機１の内部から遊技球を排出するための排出口６ａが設けられている。また、下皿部材６の左端には灰皿６ｂが設けられ、下皿部材６の右端には発射ハンドル９が設けられている。また、下皿部材６の底面には球抜き孔（図示を省略）が設けられている。この球抜き孔は、通常時には、閉鎖されているが、下皿部材６に貯留された遊技球を遊技機１から排出する際に開放状態とされる。
【００７９】
発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。また、前述の施錠装置７は、正面視すると鍵穴を備えた略長方形状を呈し、前面枠４を閉鎖した場合に施錠するためのものである。更に、遊技機１の左端側には、プリペイドカードユニットが設けられている（図示を省略）。
【００８０】
ｂ．遊技盤１０の構成
次に、遊技盤１０の構成について、図５等を用いて説明する。この遊技盤１０は、前述のように、中枠３（図１を参照）に保持されるとともに、後述する裏機構盤１０２（図３６参照）によりその背面側が覆われている。また、遊技盤１０は、平明形状が略矩形の合板（透明な樹脂板でもよい。）を用いて構成される盤本体１０Ｈと、この盤本体１０Ｈに取り付けられる複数個の盤部品（球集合部材８０、外側レール１２、内側レール１３等）とを備えている。
【００８１】
盤本体１０Ｈの前面部（表面部）には、ともに帯状の金属板を用いて構成される外側レール１２と、内側レール１３とが配設されている。そして、盤本体１０Ｈ（遊技盤１０）の前面部（表面部）において、この外側レール１２及び内側レール１３が形成する略円形の周壁によって構成される部位が、遊技領域１１を構成している。尚、本実施例では、２本のレール（外側レール１２、内側レール１３）を用いて、遊技領域１１の外縁部を構成する態様を例示したが、例えば、１本のレール（Ｃ字状に配設された１本のレール）を用いて遊技領域１１の外縁部を構成することもできる
【００８２】
この盤本体１０Ｈ（遊技盤１０）の前面部（表面部）において遊技領域１１内に位置する部位には、中央装置２０と、２個の普通図柄作動ゲート（普通図柄作動口）１６Ａ、１６Ｂと、３つの始動入賞装置１７、１８、１９と、下部装置３０と、２個の一般入賞装置４０、４１と、多数の障害釘（図示を省略）と、風車４６等が配設されている。また、この中央装置２０には、保留図柄表示装置５０と、第１の表示装置６０と、第２の表示装置７０と、が一体化されている。尚、盤本体１０Ｈには、セル画が印刷されたシートが貼付されているが、図５等においては、その図示を省略する。
【００８３】
盤本体１０Ｈには、図７に示すように、中央装置２０を取り付けるための中央取付孔１０ｄと、各普通図柄作動ゲート１６Ａ、１６Ｂを取り付けるためのゲート取付孔１０ｅと、各始動入賞装置１７、１８、１９を取り付けるための始動取付孔１０ｆと、下部装置３０を取り付けるための下部取付孔１０ｇと、各一般入賞装置４０、４１を取り付けるための一般取付孔１０ｋと、アウト口１８を構成するアウト孔１０ｍとを備えている。尚、中央取付孔１０ｄは盤本体１０Ｈの中央部に設けられた大型の孔であり、ゲート取付孔１０ｅは取付孔１０ｄの左右に設けられている。また、一般取付孔１０ｋは、中央取付孔１０ｄの左右斜め下方に設けられ、始動取付孔１０ｆは中央取付孔１０ｄの下方において、左右方向に３個並設されている。更に、下部取付孔１０ｇは中央の始動取付孔１０ｆの下方に配置され、アウト孔１０ｍは下部取付孔１０ｇの直下に設けられている。
【００８４】
盤本体１０Ｈ（遊技盤１０）の前面部（表面部）において、遊技領域１１外に位置する部位には、前述の証紙台５００や表示部材５５０Ｋが装着されている（図５においては図示を省略）。また、盤本体１０Ｈ（遊技盤１０）の後面部（裏面部）には、球集合部材８０が装着されている（図７及び図８を参照）。このように、盤本体１０Ｈの前面部（表面部）、後面部（裏面部）を問わず、盤本体１０Ｈに装着される部品は、「盤部品」の具体例を構成する。但し、本実施例では、これらの盤部品のうちで、球集合部材８０が「特定の盤部品」の具体例を構成している。尚、この球集合部材８０の詳細に関しては後述する。
【００８５】
中央装置２０は、図６等を用いて示されるように、ベース部材（化粧板）２１と、収納ボックス（図１１及び図１２を参照）２２と、通過路選択装置２３と、第１の通過路形成部材２４Ａと、第２の通過路形成部材２４Ｂと、第１の誘導装置２５と、第２の誘導装置２６と、左右一対の開閉部材２７Ａ、２７Ｂとを備えている。
【００８６】
ベース部材２１は、図６に示すように、盤本体１０Ｈ（遊技盤１０）の前面部の略中央に装着される枠状体によって構成される。つまり、図８及び図９に示すように、遊技盤１０の略中央部には、前述の「中央取付孔１０ｄ」が設けられている。そして、ベース部材２１は、盤本体１０Ｈの前面部において、この中央取付孔１０ｄの周縁に位置する部位に装着されている。また、収納ボックス２２は、開口部２２ａを前方（遊技者の方向）に向け、前端部を、中央取付孔１０ｄに挿通しつつ、ベース部材２１の後方に突出する状態とされている。そして、ベース部材２１の内縁部は、収納ボックス２２の内部を視認可能とするための窓部２１ａを構成している。
【００８７】
図６及び図１１に示すように、ベース部材２１の前面部には、周壁部材２１ｂが前方に突出する状態に装着されている。この周壁部材２１ｂは、窓部２１ａを略包囲する略枠形状とされており、本体壁部２１ｃと、左側庇部２１ｄと、右側庇部２１ｅと、頂壁部２１ｆとを備えている。
【００８８】
図６に示すように、本体壁部２１ｃは、略Ｕ字状（正面視。）の経路を描きつつ、窓部２１ａの左右の左側縁部及び下縁部を包囲している。また、左側庇部２１ｄは、左方向に下り傾斜状とされつつ、窓部２１ａの上縁部における左側の領域に配設され、右側庇部２１ｅは、右方向に下り傾斜状とされつつ、窓部２１ａの上縁部における右側の領域に配設さている。但し、左側庇部２１ｄの右端部と、右側庇部２１ｅの左端部とは所定幅（遊技球の直径の約３〜５倍の幅）の空間部（以下、「第１の空間部」という。）２１ｇを挟んだ対向している。
【００８９】
左側庇部２１ｄの左端部と、本体壁部２１ｃの左端部との間には、遊技球が進入可能な空間部（以下、「第２の空間部」という。）２１ｈが設けられ、右側庇部２１ｅの右端部と、本体壁部２１ｃの右端部との間にも、遊技球が進入可能な空間部（以下、「第３の空間部」という。）２１ｉが設けられている。尚、収納ボックス２２内には、（ａ）中央装置２０の左側方から取り入れた遊技球を、中央装置２０内で誘導させ、後述の始動入賞装置１７の上方に位置する部位で遊技領域１１に返還する「第１ワープ通路２８ａ」と、（ｂ）中央装置２０の右側方から取り入れた遊技球を、中央装置２０内で誘導させ、後述の始動入賞装置１７の上方に位置する部位で遊技領域１１に返還する「第２ワープ通路２８ｂ」と、が設けられている。そして、第２の空間部２１ｈは第１ワープ通路２８ａの入口部に接続され、第３の空間部２１ｉは第２ワープ通路２８ｂの入口部に接続されている。
【００９０】
図６に示すように、頂壁部２１ｆは、略逆Ｕ字状（正面視）の経路を描きつつ、第１の空間部２１ｇの上方に配置されている。この頂壁部２１ｆの左方側の下端部と、左側庇部２１ｄの右端部との間には、所定幅（遊技球の直径の約２〜４倍の幅）の空間部（以下、「第４の空間部」という。）２１ｋが設けられ、頂壁部２１ｆの右方側の下端部と、右側庇部２１ｅの左端部との間にも、所定幅（遊技球の直径の約２〜４倍の幅）の空間部（以下、「第５の空間部」という。）２１ｍが設けられている。この第４の空間部２１ｋと、第５の空間部２１ｍが、各々、入球口２９Ａ、２９Ｂの具体例を構成している。
【００９１】
図６に示すように、左側の開閉部材２７Ａは、略羽根形の部材によって構成されると共に、その下端部側が第４の空間部２１ｋにおいて、ベース部材２１に軸支され、この第４の空間部２１ｋによって構成される入球口２９Ａの開閉を行う。つまり、この開閉部材２７Ａの下端部側の回動軸心を支点として回動可能とされ、「起立状態となりつつ、入球口２９Ａを閉鎖する閉鎖姿勢」と、「左上がり傾斜状に傾斜して、入球口２９Ａを開放する開放姿勢」との間で姿勢変更を行うことができる。そして、開閉部材２７Ａが閉鎖姿勢となると、入球口２９Ａが閉鎖され、遊技領域１１を流下する遊技球が、入球口２９Ａを通じて、中央装置２０内に進入することが不可能となる。一方、開閉部材２７Ａが開放姿勢となると、入球口２９Ａが開放され、入球口２９Ａを通じて、中央装置２０内に進入することが可能となると共に、開閉部材２７Ａの右側面部が入球口２９Ａに向かって下り傾斜となり、入球口２９Ａに遊技球を誘導するため、誘導面を構成する。
【００９２】
右側の開閉部材２７Ｂは、左側の開閉部材２７Ａと鏡面対称な略羽根形の部材によって構成されると共に、その下端部側が第５の空間部２１ｍにおいて、ベース部材２１に軸支され、この第５の空間部２１ｍによって構成される入球口２９Ｂの開閉を行う。つまり、この開閉部材２７Ｂの下端部側の回動軸心を支点として回動可能とされ、「起立状態となりつつ、入球口２９Ｂを閉鎖する閉鎖姿勢」と、「右上がり傾斜状に傾斜して、入球口２９Ｂを開放する開放姿勢」との間で姿勢変更を行うことができる。そして、開閉部材２７Ｂが閉鎖姿勢となると、入球口２９Ｂが閉鎖され、遊技領域１１を流下する遊技球が、入球口２９Ｂを通じて、中央装置２０内に進入することが不可能となる。一方、開閉部材２７Ｂが開放姿勢となると、入球口２９Ｂが開放され、入球口２９Ｂを通じて、中央装置２０内に進入することが可能となると共に、開閉部材２７Ｂの左側面部が入球口２９Ａに向かって下り傾斜となり、入球口２９Ｂに遊技球を誘導するため、誘導面を構成する。
【００９３】
両開閉部材２７Ａ、２７Ｂは、所定のリンク機構（図示を省略）を介して、開閉ソレノイド２７ｃ（図３３を参照）に接続されている。そして、この開閉ソレノイド２７ｃを駆動することで、両開閉部材２７Ａ、２７Ｂが開閉動作を行う。例えば、開閉ソレノイド２７ｃを通電したときに、両開閉部材２７Ａ、２７Ｂは開放姿勢となり、開閉ソレノイド２７ｃへの通電を停止したときに、両開閉部材２７Ａ、２７Ｂは閉鎖姿勢とされる。尚、後述する主制御部２００Ａによって、「開閉ソレノイド２７ｃの動作を制御する開閉動作制御手段」が構成される。また、開閉部材２７Ａ、２７Ｂと、開閉ソレノイド２７ｃと、両者間に介在されるリンク機構（図示を省略）とによって、入球口２９Ａ、２９Ｂの開閉を行うための入球口開閉装置を構成する。
【００９４】
通過路選択装置２３は、入球口２９Ｂを通じて中央装置２０内に進入した遊技球の通過する通過路を、「第１の通過路形成部材２４Ａによって構成される通過路（以下、「通常通過路」ということがある。）」と、「第２の通過路形成部材２４Ｂによって構成される通過路（以下、「特別通過路」ということがある。）」とのうちの一方に振り分けるための装置である。つまり、入球口２９Ｂを通じて中央装置２０内に進入した遊技球は、この通過路選択装置２３によって、第１の通過路形成部材２４Ａと、第２の通過路形成部材２４Ｂとのうちの何れか一方に誘導される。この通過路選択装置２３の構造、誘導態様は種々選択可能であるが、本実施例では、図１３に示すように、誘導板２３ａと、カム２３ｂと、伝達部材（スタンパ）２３ｃと、誘導モータ２３ｄ（図３３を参照）とを備えるものを例示できる。尚、後述する主制御部２００Ａによって、「誘導モータ２３ｄの動作を制御する誘導動作制御手段」が構成される。
【００９５】
誘導板２３ａは、第１の空間部２１ｇ内において、ベース部材２１の前面部に回動可能な状態に支持され、遊技者から視認可能とされている。つまり、この誘導板２３ａは、左右方向に沿った中間部の回動軸心２３ｅを基準として回動可能な状態に支持されている。但し、この誘導板２３ａにおいては、左端側には錘２３１ａを装着することで、誘導板２３ａの重心位置が、回動軸心２３ｅよりも左側に位置している。このため、誘導板２３ａは、左方向に傾斜するような挙動を示し易くなっている。また、誘導板２３ａの上面部２３ｆは、入球口２９Ａ、２９Ｂを通じて、中央装置２０内に進入し、上方から落下する遊技球を受け取り、左端部若しくは右端部に転動させるための転動面を構成している。
【００９６】
伝達部材（スタンパ）２３ｃは、軸心を上下に向け、上下方向中間部に突起部２３ｇを突出させた軸体を用いて構成され、軸受部２３ｈ、２３ｉを用いて上下動可能に支持される。但し、伝達部材２３ｃの下方に規制部（規制面）２３ｊが配設され、伝達部材２３ｃの下降範囲は、伝達部材２３ｃの下端部２３ｕが規制部（規制面）２３ｊに当接するまでの範囲とされる。
【００９７】
カム２３ｂは、誘導モータ２３ｄの軸部２３ｋに一体回転可能な状態に装着されると共に、外周部の一カ所から突起部（タペット）２３ｍを突出させている。このカム２３ｂは一回転する間に一度、突起部２３ｍが突起部２３ｇに対して下方から係合し、この突起部（タペット）２３ｍが、突起部２３ｇ、ひいては、伝達部材２３ｃ全体を上方に跳ね上げることができる。但し、伝達部材２３ｃの長さ（上下方向に沿った長さ）は、以下のように定められている。つまり、（Ａ）突起部２３ｍが突起部２３ｇに係合していない場合には、下端部２３ｕを規制部（規制面）２３ｊに当接させつつ、上端部２３ｗで、左方向に傾斜する姿勢（以下、「通常誘導姿勢」という。）の誘導板２３ａを支持可能であると共に、（Ｂ）突起部２３ｍが突起部２３ｇに係合し、跳ね上げられた場合には、上端部２３ｗで、「誘導板２３ａが右方向に傾斜する姿勢（以下、「特別誘導姿勢」という。）」となるように、誘導板２３ａを押し上げ、可能な長さとされている。
【００９８】
誘導板２３ａの姿勢が「通常誘導姿勢」である場合には、入球口２９Ａ、２９Ｂを通じて、「中央装置２０内に進入し、誘導板２３ａの上面部２３ｆに落下する遊技球Ｙ１」は、第１の通過路形成部材２４Ａに誘導され、この後、第１の誘導装置２５に受け入れられる｛図１３（ａ）を参照｝。一方、誘導板２３ａの姿勢が「特別誘導姿勢」である場合には、「誘導板２３ａの上面部２３ｆに落下する遊技球Ｙ２」は、第２の通過路形成部材２４Ｂに誘導され、この後、第２の誘導装置２６に受け入れられる｛図１３（ｂ）を参照｝。そして、後述するように、「遊技球が第１の通過路形成部材２４Ａに誘導される場合」に比べて、「遊技球が第２の通過路形成部材２４Ｂに誘導される場合」の方が、「遊技者にとって有利な遊技結果」が得られる可能性が高くなっている。
【００９９】
本実施例においては、「入球口２９Ａ、２９Ｂを通じて中央装置２０内に進入した遊技球が、第２の通過路形成部材２４Ｂに誘導される確率（以下、「第２の誘導確率」という。）」は、「入球口２９Ａ、２９Ｂを通じて中央装置２０内に進入した遊技球が、第１の通過路形成部材２４Ａに誘導される確率（以下、「第１の誘導確率」という。）」に比べて低くなるように設定されている。蓋し、本実施例において、誘導モータ２３ｄの軸部２３ｋ及びカム２３ｂは、常時（遊技機の遊技状態に関わらず、常時）、一定速度で回転している。ところが、カム２３ｂが一回転する毎に、誘導板２３ａの姿勢を「特別誘導姿勢」とする時間（突起部２３ｇが突起部２３ｍを跳ね上げられる時間）は、誘導板２３ａの姿勢を「通常誘導姿勢」とする時間に比べて短くなるからである。
【０１００】
但し、「第２の誘導確率」を、「第１の誘導確率」に比べて高くするための方法は、これに限定されない。例えば、開閉部材２７Ａ、２７Ｂの姿勢が閉鎖姿勢にあるときには、誘導板２３ａの姿勢を「通常誘導姿勢」に維持し、開閉部材２７Ａ、２７Ｂの姿勢が開放姿勢となると同時に、誘導板２３ａの姿勢を「特別誘導姿勢」とし、この「特別誘導姿勢」を短時間（例えば、開閉部材２７Ａ、２７Ｂの開放時間の半分以下の時間で、特に、０．５〜１．５秒）で終了させる（短時間に通常誘導姿勢に戻す）ように、後述する主制御部２００Ａが、前述の入球口開閉装置と、通過路選択装置２３の駆動を制御する手法（以下、「第２の手法）という。）を例示できる。
【０１０１】
この第２の手法においては、例えば、カム２３ｂの外周部の複数カ所（例えば、周方向に等間隔な３〜６カ所）において、突起部（タペット）２３ｍを突出させ、開閉部材２７Ａ、２７Ｂの姿勢が開放姿勢となると同時に、誘導モータ（特に、ステッピングモータ）２３ｄを動作させ、何れかの突起部（タペット）２３ｍで、突起部２３ｇを押し上げてもよい。また、第２の手法においては、入球口開閉装置が開放動作（入球口２９Ａ、２９Ｂを開放するための動作）を行う度に、通過路選択装置２３が、誘導板２３ａの姿勢を「特別誘導姿勢」とするように動作することは必ずしも、必要とされない。例えば、主制御部２００Ａは、入球口開閉装置が開放動作（入球口２９Ａ、２９Ｂを開放するための動作）を行う旨を決定する度に、「通過路選択装置２３に、誘導板２３ａの姿勢を特別誘導姿勢とするように動作させる否か」を決定してもよい。尚、図示を省略するが、中央装置２０内において、「通過路選択装置２３と、入球口２９Ａ、２９Ｂとの間に位置する部位」には、入賞検出スイッチ２０ｓ（図３３を参照）が配設されている。このため、「入球口２９Ａ、２９Ｂを通じて中央装置２０内に進入した遊技球」は、通過路選択装置２３に到達する前に、この入賞検出スイッチ２０ｓによって検出される。
【０１０２】
第１の通過路形成部材２４Ａは、図９に示すように、収納ボックス２２内に配置される。この第１の通過路形成部材２４Ａは、「入球口２９Ａ、２９Ｂを通じて中央装置２０内に進入した遊技球」を、第１の誘導装置２５に向かって通過させるためのものである。この第１の通過路形成部材２４Ａは、断面形状が略四角枠状で、中間部の２カ所に屈曲部を備える筒状体（樋）を用いて構成されている。この第１の通過路形成部材２４Ａは、図１１及び図１２を用いて示されるように、第１の筒状部２４１Ａと、第２の筒状部２４３Ａと、第３の筒状部２４５Ａとを備えている。また、第１の筒状部２４１Ａは、右端部を誘導板２３ａの中間部（回動軸心２３ｅが通過する位置）の直下にを位置させつつ、左右に略水平に配置されている。更に、第２の筒状部２４３Ａは、第１の筒状部２４１Ａの左端部と連通しつつ、この左端部から下方に突出する状態に配置されている。更に、第３の筒状部２４５Ａは、第２の筒状部２４３Ａの下端部と連通しつつ、この下端部の後方に向かって突出する状態に配置されている。
【０１０３】
この第１の筒状部２４１Ａの右端部側の上面部は切り欠かれ、入口部２４６Ａを構成している（図１１を参照）。そして、この入口部２４６Ａには、通常誘導姿勢とされた誘導板２３ａの左端側が進入可能とされている。そして、この誘導板２３ａの上面部２３ｆを転動した遊技球は、この入口部２４６Ａを通じて、第１の通過路形成部材２４Ａ内に進入可能となっている。また、第３の筒状部２４５Ａの後端部側の下面部は切り欠かれ、出口部２４７Ａを構成している（図１２を参照）。更に、第１の通過路形成部材２４Ａの床面は、入口部２４６Ａから出口部２４７Ａに向かって下る傾斜面とされている。このため、第１の通過路形成部材２４Ａは、入口部２４６Ａで受け入れた遊技球を、出口部２４７Ａに向かって通過させることができる。
【０１０４】
第２の通過路形成部材２４Ｂは、図９に示すように、収納ボックス２２内に配置される。この第２の通過路形成部材２４Ｂは、「入球口２９Ａ、２９Ｂを通じて中央装置２０内に進入した遊技球」を、第２の誘導装置２６に向かって通過させるためのものである。この第２の通過路形成部材２４Ｂも、断面形状が略四角枠状で、中間部の２カ所に屈曲部を備える筒状体（樋）を用いて構成されている。この第２の通過路形成部材２４Ｂは、図１１及び図１２を用いて示されるように、第１の筒状部２４１Ｂと、第２の筒状部２４３Ｂと、第３の筒状部２４５Ｂとを備えている。また、第２の筒状部２４１Ｂは、左端部を誘導板２３ａの中間部（回動軸心２３ｅが通過する位置）の直下に位置させつつ、左右に略水平に配置されている。更に、第２の筒状部２４３Ｂは、第１の筒状部２４１Ｂの右端部と連通しつつ、この左端部から下方に突出する状態に配置されている。更に、第３の筒状部２４５Ｂは、第２の筒状部２４３Ｂの下端部と連通しつつ、この下端部の後方の後方に向かって突出する状態に配置されている。
【０１０５】
この第２の筒状部２４１Ｂの左端部側の上面部は切り欠かれ、入口部２４６Ｂを構成している（図１１を参照）。そして、この入口部２４６Ｂには、特別誘導姿勢とされた誘導板２３ａの左端側が進入可能とされている。そして、この誘導板２３ａの上面部２３ｆを転動した遊技球は、この入口部２４６Ｂを通じて、第２の通過路形成部材２４Ｂ内に進入可能となっている。また、第３の筒状部２４５Ｂの後端部側の下面部は切り欠かれ、出口部（図示を省略）を構成している。更に、第２の通過路形成部材２４Ｂの床面も、入口部２４６Ｂから出口部に向かって下る傾斜面とされている。このため、第２の通過路形成部材２４Ｂは、入口部２４６Ｂで受け入れた遊技球を、出口部に向かって通過させることができる。
【０１０６】
第１の誘導装置２５は、収納ボックス２２内において中央部よりも左側の部位に配置されている。この第１の誘導装置２５は、第１の通過路形成部材２４Ａを通過した遊技球を受け入れ、通常領域部ＴＲ（図２４を参照）及び第２の誘導装置２６のうちの一方に誘導するためのものである。
【０１０７】
第１の誘導装置２５は、図９に示すように、基体部２５ａと、移送ローラ装置２５ｂと、を備えている。また、基体部２５ａは、遊技球を転動させる転動面を構成すると共に、移送ローラ装置２５ｂを支持するための部材であり、「横長の略矩形状」の平面形状を備えている。この基体部２５ａは、図１０に示すように、本体部２５ｃと、モータ取付部２５ｄとを備えている。尚、モータ取付部２５ｄは、基体部２５ａの左端側を構成し、本体部２５ｃは「基体部２５ａのその他の部分」を構成する。
【０１０８】
図１０に示すように、本体部２５ｃにおいて、前後方向に沿った中央部であって、右端側に偏心した位置には、装着部２５ｅが設けられている。この装着部２５ｅは、略樽形の開口形状を呈しつつ、上方に向かって開口する凹部によって構成されている。また、本体部２５ｃの後縁部からは後壁部２５ｆが立ち上げられ、本体部２５ｃの左縁部からは左側壁部２５ｇが立ち上げられている。更に、本体部２５ｃの前縁部からは、前壁部２５ｈが立ち上げられているが、この前壁部２５ｈは、２つの切り欠き部Ｋ１、Ｋ２を備えている｛図２０（ａ）を参照｝。
【０１０９】
本体部２５ｃの上面部からは仕切壁部２５ｉが立ち上げられている。この仕切壁部２５ｉは、後端部を後壁部２５ｆに一体化させ、左側壁部２５ｇと略平行に配設されている。但し、この仕切壁部２５ｉと、左側壁部２５ｇとの間には遊技球の通過を許容する空間（１１ｍｍを超える幅を有する間隔）が設けられている。また、仕切壁部２５ｉの前端部と、前壁部２５ｈとの間にも、遊技球の通過を許容する空間（１１ｍｍを超える幅を有する間隔）が設けられている。
【０１１０】
本体部２５ｃの上面部において、左側壁部２５ｇと、仕切壁部２５ｉとの間に位置する部位は、球導入路Ｄ１を構成する。この球導入路Ｄ１は、第１の通過路形成部材２４Ａ（通過路）を通過した遊技球を受け取り、後述する受入転動部Ｅに導入するためのものである。この球導入路Ｄ１は、入口部Ｄ１１を、第１の通過路形成部材２４Ａの出口部２４７Ａの直下に位置させる（図１２を参照）と共に、出口部Ｄ１２を、後述する受入転動部Ｅに接続している。また、球導入路Ｄ１の床面部は、入口部Ｄ１１から出口部Ｄ１２に向かって下り傾斜状とされている（図１２を参照）。
【０１１１】
本体部２５ｃの上面部において、前壁部２５ｈと、装着部２５ｅとの間の部位は、受入転動部Ｅを構成している（図１０を参照）。この受入転動部Ｅは、左右方向に形成されると共に、左端部ＥＬが、球導入路Ｄ１の出口部Ｄ１２と略直交する状態で接続されている。このため、受入転動部Ｅは、第１の通過路形成部材２４Ａ（通過路）に球導入路Ｄ１を介して接続され、第１の通過路形成部材２４Ａ（通過路）、球導入路Ｄ１の順に通過した遊技球を受け入れることができる。但し、受入転動部Ｅの右端部の床面（路面）は、球導入路Ｄ１の出口部Ｄ１２の床面（路面）に比べて段差状に低くされている（図１７を参照）。
【０１１２】
図９及び図２０（ａ）に示すように、この受入転動部Ｅは略波形とされつつ、左右方向に転動経路を形成している。つまり、この受入転動部Ｅは、なだらかな凹凸を形成しつつ、「平面視で略直線状」に設けられた転動面（路面）を用いて構成されると共に、左端部ＥＬ（図１０等を参照）を、遊技球を導入するための導入部とし、右端部ＥＲ（図１０等を参照）を、転動した遊技球が折り返す折り返し部としている。この受入転動部Ｅの転動経路の経路途中には、転動面（路面）を略山形に隆起させて構成される障害用隆起部Ｖが設けられている。また、この受入転動部Ｅにおいては、右端部ＥＲ及び左端部ＥＬの高さを、他の何れの部位の高よりも高くしている。
【０１１３】
以下の説明においては、「受入転動部Ｅにおいて障害用隆起部Ｖの頂部ＶＴよりも左側に位置する部位」を通常転動部ＮＴと称し、「受入転動部Ｅにおいて頂部ＶＴよりも右側に位置する部位」を特別転動部ＳＴと称する。
【０１１４】
通常転動部ＮＴは、図２０（ａ）に示すように、谷形に凹む（略円弧状に凹む）形状とされ、左右に沿った両端部（受入転動部Ｅの左端部ＥＬ及び障害用隆起部Ｖの頂部ＶＴ）において床面を高くし、中央部において床面を高さを最も低くしている。この通常転動部ＮＴでは、左端部（受入転動部Ｅの左端部ＥＬ）から中央部に向かって、下り傾斜部（緩やかな略円弧状の経路をたどって、右下り傾斜となる下り傾斜部）が形成され、右端部（障害用隆起部Ｖの頂部ＶＴ）から中央部に向かって、下り傾斜部（緩やかな略円弧状の経路をたどって、左下り傾斜となる下り傾斜部）が形成されている。
【０１１５】
また、特別転動部ＳＴも、図２０（ａ）に示すように、谷形に凹む（略円弧状に凹む）形状とされ、両端部（障害用隆起部Ｖの頂部ＶＴ及び受入転動部Ｅの右端部ＥＲ）において床面を高くし、中央部において床面を高さを最も低くしている。この特別転動部ＳＴでは、左端部（障害用隆起部Ｖの頂部ＶＴ）から中央部に向かって、下り傾斜部（緩やかな略円弧状の経路をたどって、左下り傾斜となる下り傾斜部）が形成され、右端部（受入転動部Ｅの右端部ＥＲ）から中央部に向かって、下り傾斜部（緩やかな略円弧状の経路をたどって、左下り傾斜となる下り傾斜部）が形成されている。
【０１１６】
また、本実施例では、通常転動部ＮＴの左右方向に沿った経路長は遊技球の直径（１１ｍｍ）の約６倍とされ、特別転動部ＳＴの左右方向に沿った経路長は、遊技球の直径（１１ｍｍ）の約３倍とされている。そして、以下の説明においては、「通常転動部ＮＴにおいて中央部を中心とする遊技球の直径（１１ｍｍ）の約２倍の幅の部位」を、「第１の通常誘導部ＮＹ１」と称し、「特別転動部ＳＴの中央部を中心とする遊技球の１個分の幅の部位」を、第２の通常誘導部ＮＹ２と称する（図２０を参照）。この第１の通常誘導部ＮＹ１及び第２の通常誘導部ＮＹ２は、何れも、前方に下り傾斜となる傾斜面によって構成されている（図９等を参照）。
【０１１７】
図２０に示すように、前述の前壁部２５ｈにおいて、受入転動部Ｅの前方に位置する部位では、本体部２５ｃの上方（受入転動部Ｅの上方）への突出量が少なくされ、遊技球の直径（１１ｍｍ）の約「１／４」の量に相当する突出量とされている。また、前壁部２５ｈに設けられる一方の切り欠き部Ｋ１は、第１の通常誘導部ＮＹ１の前縁部に相当する部位に設けられる。このため、第１の通常誘導部ＮＹ１において、その「前方への下り傾斜」を利用して、前方へ転動する遊技球は、この切り欠き部Ｋ１を通過し、受入転動部Ｅ外へ排出され、所定の連絡路ＴＲ１を介して、通常領域部ＴＲに誘導される（図２４を参照）。
【０１１８】
前壁部２５ｈに設けられる他方の切り欠き部Ｋ２は、第２の通常誘導部ＮＹ２の前縁部に相当する部位に設けられる。このため、第２の通常誘導部ＮＹ２において、その「前方への下り傾斜」を利用して、前方へ転動する遊技球は、この切り欠き部Ｋ２を通過し、受入転動部Ｅ外へ排出され、前述の連絡路ＴＲ１を介して、通常領域部ＴＲに誘導される（図２４を参照）。
【０１１９】
図９及び図１０に示すように、本体部２５ｃの上面部において、装着部２５ｅと後壁部２５ｆとの間には、球受取転動部Ｇが設けられ、装着部２５ｅと仕切壁部２５ｉとの間には、連結用転動部Ｊが設けられている。尚、球受取転動部Ｇ及び連結用転動部Ｊは、１球の遊技球が通過可能な幅（１１ｍｍを超える幅）を有している。
【０１２０】
球受取転動部Ｇは、移送ローラ装置２５ｂ（後述する。）によって上方に移送される遊技球を受け取り、受入転動部Ｅ及び第２の誘導装置２６のうちの一方に誘導するための誘導部を構成する。この球受取転動部Ｇは、図１７に示すように、頂部ＧＴの左右に下り傾斜となる下り傾斜面を用いて構成されている。つまり、頂部ＧＴを基準として左方向に下り傾斜となる第１の傾斜部Ｇ１と、頂部ＧＴを基準として右方向に下り傾斜となる第２の傾斜部Ｇ２と、を備えている。また、「球受取転動部Ｇの頂部ＧＴ」と、「障害用隆起部Ｖの頂部ＶＴ」とは前後に位置合わせされている。また、「球受取転動部Ｇの頂部ＧＴ」の高さは、「障害用隆起部Ｖの頂部ＶＴ」の高さよりも高くされている。
【０１２１】
連結用転動部Ｊは、図９に示すように、後方から前方に向かって下り傾斜となる下り傾斜部を用いて構成されている。そして、連結用転動部Ｊの後端部（上端部）と、第１の傾斜部Ｇ１の左端部（下端部）とが、略直交する状態で連結されると共に、連結用転動部Ｊの前端部（下端部）と、通常転動部ＮＴとが略直交する状態で連結されている。このように、第１の傾斜部Ｇ１と、連結用転動部Ｊとが連結されることで、下り傾斜状の通路（戻し通路）が形成されるが、この通路（戻し通路）によって、第１の傾斜部Ｇ１の遊技球を受入転動部Ｅに戻すための「返還誘導部Ｎ１」が構成される（図９を参照）。
【０１２２】
図９に示すように、第２の傾斜部Ｇ２の下端部は、本体部２５ｃの右端面の後方側において、第１の誘導装置２５の外部に開放され、後述する「第２の誘導装置２６の転動面２６ｋ」に連結されている。このように、第２の傾斜部Ｇ２は、第２の誘導装置２６に向かって下り傾斜状の通路（以下、「特別誘導部Ｓ１」という。）が構成されるが、この「特別誘導部Ｓ１」は「遊技球を第２の誘導装置２６の方向に向かって誘導する誘導通路」を構成する。
【０１２３】
移送ローラ装置２５ｂは、図１４〜図１６を用いて示されるように、移送ローラ２５ｍと、移送ローラ２５ｍを回転可能な状態に支持するための支持部２５ｎ、２５ｐと、移送ローラ２５ｍを回転駆動させるための移送モータ２５ｒと、を備えている。また、移送ローラ２５ｍは、ローラ本体２５ｓと、ローラ軸２５ｔと、通常吸着片２５ｕと、特別吸着片２５ｖとを備えている。
【０１２４】
ローラ本体２５ｓは、樹脂を用いて構成されると共に、略樽形状の外形を備えている。このローラ本体２５ｓの縦断面（回転軸心を通過する縦断面）の形状は、装着部２５ｅの開口形状と略等しくされている。但し、ローラ本体２５ｓの縦断の外縁寸法は装着部２５ｅの開口部の内縁寸法よりも僅かに小さくされている。つまり、このローラ本体２５ｓは、その回転軸心を略水平方向に向け、下方側の部分を装着部２５ｅ内に埋没させ、上方側の部分を本体部２５ｃの上方に露呈させた状態とされつつ、回転可能なサイズとされている。尚、以下の説明においては、ローラ本体２５ｓのうちで、外径が最大となる部分を大径部２５１ｓと称し、この大径部２５１ｓよりも右側の部分（ローラ本体２５ｓの軸心方向に沿った右側の部分）を右方部２５２ｓと称し、この大径部２５１ｓよりも左側の部分（ローラ本体２５ｓの軸心方向に沿った左側の部分）を左方部２５３ｓと称することがある。
【０１２５】
ローラ軸２５ｔは、ローラ本体２５ｓの軸心位置に配設され、ローラ本体２５ｓと一体で回転可能とされている。また、ローラ軸２５ｔの左端部側は、ローラ本体２５ｓの左端面から突出し、ローラ軸２５ｔの右端部側は、ローラ本体２５ｓの右端面から突出している。尚、ローラ軸２５ｔの軸心は、移送ローラ２５ｍの回転軸心に一致する。
【０１２６】
通常吸着片２５ｕは、永久磁石を用いて構成される小片を用いて構成されると共に、図１８及び図１９に示すように、ローラ本体２５ｓの左方部２５３ｓに装着されて、この左方部２５３ｓの所定の部位の外周部に「通常吸着部Ｘ」を形成する。この通常吸着部Ｘ（通常吸着片２５ｕ）は、左方部２５３ｓにおいて、「ローラ本体２５ｓの回転軸心（ローラ軸２５ｔの軸心）」に沿った２箇所において、左方部２５３ｓ（ローラ本体２５ｓ）の外周部を周回する方向に沿って、複数個ずつ、形成間隔をおいた状態で装着されている。
【０１２７】
つまり、この左方部２５３ｓにおける「２カ所」のうちで、左側に位置する部位（以下、「第１の形成位置ｄ１」という。）には、３個の通常吸着部Ｘ（通常吸着片２５ｕ）が、左方部２５３ｓの外周部を周回する方向に沿って等間隔に設けられている。また、この左方部２５３ｓにおける「２カ所」のうちで、右側に位置する部位（以下、「第２の形成位置ｄ２」という。）には、２個の通常吸着部Ｘ（通常吸着片２５ｕ）が、左方部２５３ｓの外周部を周回する方向に沿って等間隔に設けられている。但し、左方部２５３ｓに装着される通常吸着部Ｘの数を更に多くしてもよい。この場合、移送ローラ装置２５ｂと、返還誘導部Ｎ１（後述する。）等を用いた演出（前述の返還機能を用いた演出）の実行頻度を高くすることができる。
【０１２８】
特別吸着片２５ｖも、通常吸着片２５ｕと同様に、永久磁石を用いて構成される小片を用いて構成されている。そして、この特別吸着片２５ｖは、ローラ本体２５ｓの右方部２５２ｓに装着されて、この右方部２５２ｓの所定の部位の外周部に「特別吸着部Ｚ」を形成する。この特別吸着部Ｚ（特別吸着片２５ｖ）は、右方部２５２ｓにおいて、「ローラ本体２５ｓの回転軸心（ローラ軸２５ｔの軸心）」に沿った１箇所において、１個設けられている。但し、右方部２５２ｓに装着される特別吸着部Ｚ（特別吸着片２５ｖ）の数を多くしてもよい。この場合、移送ローラ装置２５ｂと、特別誘導部Ｓ１（後述する。）等を用いた演出の実行頻度を高くすることができる。
【０１２９】
尚、吸着片（通常吸着片２５ｕ及び特別吸着片２５ｖ）のローラ本体２５ｓへの装着方法は特に問わず、例えば、ローラ本体２５ｓの外周部で開口する装着穴やローラ本体２５ｓの外周部で開口する装着溝に装着する態様を例示できる。この場合、装着される吸着片（通常吸着片２５ｕ及び特別吸着片２５ｖ）は、ローラ本体２５ｓの外周部と面一とされてもよいし、ローラ本体２５ｓの外周部よりも突出してもよし、ローラ本体２５ｓの外周部よりも凹んだ箇所に位置してもよい。更に、移送ローラ２５ｍに吸着部（通常吸着部及び特別吸着部）を設けるための方法は、本実施例に示すものに限定されず、例えば、ローラ本体２５ｓに吸着片（通常吸着片２５ｕ及び特別吸着片２５ｖ）を埋没させて設けることができる。
【０１３０】
支持部２５ｎ、２５ｐは、移送ローラ２５ｍ（ローラ軸２５ｔ）を回転可能な状態で支持する軸受部である。このうち、左側の支持部２５ｎは、導入路Ｄ１及び連結用転動部Ｊの下方に埋設された状態に配置され、右側の支持部２５ｐは、基体部２５ａの右端側において埋設された状態に配置されている。そして、左側の支持部２５ｎは、ローラ軸２５ｔの左端部側を回転可能な状態に支持し、右側の支持部２５ｐは、ローラ軸２５ｔの右端部側を回転可能な状態に支持している。
【０１３１】
移送ローラ２５ｍは、支持部２５ｎ、２５ｐで支持されつつ、基体部２５ａに対して、以下の状態で配置されている。即ち、移送ローラ２５ｍの回転軸心（ローラ軸２５ｔ）を左右方向に向け、移送ローラ２５ｍ（ローラ本体２５ｓ）の下方側の部分を装着部２５ｅ内に埋没させ、上方側の部分を基体部２５ａの上方に露呈させた状態とされつつ、回転可能な状態に配置されている。
【０１３２】
移送ローラ２５ｍが、基体部２５ａに対して、このような状態で配置されると、移送ローラ２５ｍの上方側の部分が、「受入転動部Ｅ、球受取転動部Ｇ、及び、連結用転動部Ｊ」よりも上方に突出する状態とされる。また、受入転動部Ｅ及び移送ローラ２５ｍの外周部の距離と、球受取転動部Ｇ及び移送ローラ２５ｍの外周部の距離と、連結用転動部Ｊ及び移送ローラ２５ｍの外周部の距離は、何れも、遊技球の直径の半分以下（ゼロを含まない。）の距離とされる。
【０１３３】
図１０に示すように、「ローラ本体２５ｓの大径部２５１ｓ」は、「障害用隆起部Ｖの頂部ＶＴ」及び「球受取転動部Ｇの頂部ＧＴ」と前後に位置合わせされている。また、「左側の通常吸着片２５ｕ」は、「第１の通常誘導部ＮＹ１の左端部」と前後に位置合わせされ、「右側の通常吸着片２５ｕ」は、「第１の通常誘導部ＮＹ１の右端部」と前後に位置合わせされている。更に、「特別吸着片２５ｖ」は、「第２の通常誘導部ＮＹ２の略中央部」と前後に位置合わせされている。
【０１３４】
以下の説明においては、「第１の傾斜部Ｇ１（返還誘導部Ｎ１）において、左側の通常吸着片２５ｕと前後に位置合わせされる箇所」を第１の通常球受取部Ｆ１と称する。また、「第１の傾斜部Ｇ１（返還誘導部Ｎ１）において、右側の通常吸着片２５ｕと前後に位置合わせされる箇所」を第２の通常球受取部Ｆ２と称する。更に、第２の傾斜部Ｇ２（特別誘導部Ｓ１）において、「特別吸着片２５ｖ」と前後に位置合わせされる箇所を特別球受取部Ｗと称する。
【０１３５】
移送モータ２５ｒは、移送ローラ２５ｍを回転させるための「ステッピングモータ」であり、図１４に示すように、モータ取付部２５ｄに取り付けられている。そして、図１５及び図１６に示すように、この移送モータ２５ｒの回転軸２５１ｒに装着されたギア２５２ｒと、ローラ軸２５ｔに装着されたギア２５１ｔとが噛合されている。このため、移送モータ２５ｒによって生ずる回転駆動力が移送ローラ２５ｍに伝達される。尚、後述する主制御部２００Ａは、移送モータ２５ｒの動作を制御する動作制御手段として機能する。そして、本実施例では、この主制御部２００Ａが移送モータ２５ｒの動作を制御することで、回転軸２５１ｒが、常時、一定速度で回転するため、移送ローラ２５ｍは、常時、一定速度で回転（移送ローラ２５ｍの右側方から見て、右回転方向）している。但し、主制御部２００Ａは、所定条件が成立したときのみに（例えば、後述する「小当たりを生じたときのみに）、回転軸２５１ｒが回転するように、移送モータ２５ｒの動作を制御してもよい。
【０１３６】
本実施例においては、図２１（ａ）に示すように、第１の通過路形成部材２４Ａ及び球導入路Ｄ１を通過し、受入転動部Ｅに導入される遊技球Ｙの多くは、通常転動部ＮＴを転動｛例えば、１回若しくは複数回、往復動（転動）したり、片道分転動する。｝し、勢い（転動速度）が低下したところで、第１の通常誘導部ＮＹ１によって、通常領域部ＴＲに誘導される。但し、図１９（ａ）、（ｂ）及び図２０（ｂ）に示すように、遊技球Ｙが通常転動部ＮＴを転動中に（第１の通常誘導部ＮＹ１によって通常領域部ＴＲに誘導される前に）、何れかの通常吸着片２５ｕ（通常吸着部）によって吸着されると、この遊技球Ｙは移送ローラ２５ｍと一体で回転する。この遊技球Ｙは、移送ローラ２５ｍと一体で回転し、受入転動部Ｅの上方に移送される。
【０１３７】
更に、この遊技球Ｙは、第１の傾斜部Ｇ１（返還誘導部Ｎ１）の床面（第１の通常球受取部Ｆ１、若しくは、第２の通常球受取部Ｆ２）に当接したところで、この床面に追従するため、「移送ローラ２５ｍとの一体回転」を禁止され、この床面に移行する。換言すると、この床面（第１の通常球受取部Ｆ１、若しくは、第２の通常球受取部Ｆ２）は、通常吸着片２５ｕによって吸着された遊技球Ｙを、通常吸着片２５ｕから剥奪する。更に、この床面（第１の通常球受取部Ｆ１、若しくは、第２の通常球受取部Ｆ２）に移行した遊技球は、返還誘導部Ｎ１の下り傾斜状の床面に沿って転動して、通常転動部ＮＴに誘導される。
【０１３８】
このように、返還誘導部Ｎ１を通じて、通常転動部ＮＴに誘導される（通常転動部ＮＴに返還される）遊技球Ｙは、図２２（ａ）に示すように、障害用隆起部Ｖの頂部ＶＴを超えて、特別転動部ＳＴに到達する可能性が高くなっている。蓋し、本実施例では、返還誘導部Ｎ１において、遊技球Ｙを受け取る部位（第１の通常球受取部Ｆ１、若しくは、第２の通常球受取部Ｆ２）の高さが、障害用隆起部Ｖの頂部ＶＴの高さよりも、２０ｍｍ以上高くされている。しかも、返還誘導部Ｎ１の経路長及び通常転動部ＮＴの経路長を合わせたもの（以下、「第２の経路長ａ２」という。）が、短くされている（例えば、１５０ｍｍ以下）とされているからである。
【０１３９】
このように、障害用隆起部Ｖの頂部ＶＴを超えて、特別転動部ＳＴに到達した遊技球Ｙは、特別転動部ＳＴを転動｛例えば、１回若しくは複数回、往復動（転動）したり、片道分転動する。｝する。そして、図１９（ｃ）及び図２２（ｂ）に示すように、勢い（転動速度）が低下したところで、特別吸着片２５ｖ（特別吸着部）によって吸着されると、この遊技球Ｙは移送ローラ２５ｍと一体で回転する。但し、本実施例では、特別吸着片２５ｖ（特別吸着部）に吸着されず、第２の通常誘導部ＮＹ２によって、通常領域部ＴＲに誘導される遊技球も存在する。
【０１４０】
特別転動部ＳＴを転動中に、特別吸着片２５ｖ（特別吸着部）によって吸着された遊技球Ｙは、移送ローラ２５ｍと一体で回転し、受入転動部Ｅの上方に移送される。この遊技球Ｙは、第２の傾斜部Ｇ２（特別誘導部Ｓ１）の床面（特別球受取部Ｗ）に当接したところで、この床面に追従するため、「移送ローラ２５ｍとの一体回転」を禁止され、この床面に移行する。換言すると、この床面（特別球受取部Ｗ）は、特別吸着片２５ｖから遊技球を剥奪する。更に、この床面（特別球受取部Ｗ）に移行した遊技球は、右方向に向かって下り傾斜状の特別誘導部Ｓ１に沿って、第２の誘導装置２６に誘導される。
【０１４１】
尚、第１の通過路形成部材２４Ａ及び球導入路Ｄ１を通過し、受入転動部Ｅに導入される際に、遊技球Ｙの速度が速い場合に、この遊技球Ｙは、障害用隆起部Ｖの頂部ＶＴを超えて、特別転動部ＳＴに到達することがある。この場合においても、遊技球Ｙは、特別吸着片２５ｖ（特別吸着部）によって吸着され、特別球受取部Ｗ、特別誘導部Ｓ１を経て第２の誘導装置２６に誘導されるか、若しくは、特別吸着片２５ｖ（特別吸着部）に吸着されず、第２の通常誘導部ＮＹ２によって、通常領域部ＴＲに誘導される。また、本実施例では、遊技球が特別転動部ＳＴに到達しても、通常領域部ＴＲに誘導される可能性がある。但し、特別転動部ＳＴから、第２の通常誘導部ＮＹ２を排除することで、特別転動部ＳＴに到達した遊技球は、一律に、第２の誘導装置２６に誘導されるものとしてもよい。
【０１４２】
第２の誘導装置２６は、収納ボックス２２内において中央部よりも右側の部位に配置されている（図９を参照）。この第２の誘導装置２６は、（１）第１の誘導装置２５から誘導された遊技球を受け入れ、通常領域部ＴＲ及び特別領域部ＳＲのうちの一方に誘導したり、（２）第２の通過路形成部材２４Ｂを通過した遊技球を受け入れ、通常領域部ＴＲ及び特別領域部ＳＲのうちの一方に誘導するためのものである。
【０１４３】
第２の誘導装置２６は、図９、図１０及び図２３に示すように、基体部２６ａと、回転誘導体２６ｂと、誘導モータ２６ｃ（図３３を参照）とを備えている。このうち、基体部２６ａの上面部には、図７に示すように、上方に開口すると共に、外縁部の形状が略円形の凹部２６ｄが設けられている。この凹部２６ｄは、中心側に位置すると共に平面形状が略円形の装着部２６ｅと、装着部２６ｅを周回状に包囲すると共に平面形状が略リング状の球導入部２６ｆとを備えている。そして、装着部２６ｅの深さは、球導入部２６ｆの深さよりも深くされている。また、球導入部２６ｆの底面部は、装着部２６ｅに向かって下り傾斜となる傾斜面とされている。
【０１４４】
装着部２６ｅの底面部においては、図２３（ｂ）及び（ｃ）に示すように、遊技球を通常領域部ＴＲに誘導するための通常誘導孔２６ｇと、遊技球を特別領域部ＳＲに誘導するための特別誘導孔２６ｈとが開口している。但し、特別誘導孔２６ｈの開口位置と装着部２６ｅの中心部２６ｊとの距離は、通常誘導孔２６ｇの開口位置と装着部２６ｅの中心部２６ｊとの距離よりも小さくされている。つまり、前者の距離は、後者の距離よりも、「遊技球の直径（１１ミリ）」を超える長さの分だけ、小さくされている。
【０１４５】
図９に示すように、基体部２６ａの上面部において、凹部２６ｄの後方に位置する部位には、特別誘導部Ｓ１の下端部（出口部）と、球導入部２６ｆとの間を介在する転動面２６ｋが設けられている。この転動面２６ｋは、球導入部２６ｆの方向に下り傾斜とされ、樋部材２５ｃを通じて、第１の誘導装置２５から誘導される遊技球を受け入れ、球導入部２６ｆに向かって転動させる。
【０１４６】
図９に示すように、基体部２６ａの上面部において、凹部２６ｄの右側方に位置する部位には、特別誘導溝２６ｐが設けられている。この特別誘導溝２６ｐは、第２の通過路形成部材２４Ｂ（特別通過路）を通過した遊技球を受け取り、球導入部２６ｆに導入するためのものである。この特別誘導溝２６ｐは、入口部２６１ｐを、第２の通過路形成部材２４Ｂの出口部の直下に位置させると共に、出口部２６１ｐを球導入部２６ｆに接続している。また、特別誘導溝２６ｐの床面部は、入口部２６１ｐから出口部２６２ｐに向かって下り傾斜状とされている。このため、特別誘導溝２６ｐを通過した遊技球は、球導入部２６ｆに進入可能となっている。
【０１４７】
回転誘導体２６ｂは、図９に示すように、装着部２６ｅに回転可能な状態に装着されている。尚、回転誘導体２６ｂの上面部には、略球状の装飾部材２６ｍが装着されているが、図９、図１０及び図２３（ａ）においては図示を省略する。
【０１４８】
回転誘導体２６ｂは、上面部が曲面部とされた円板に対して、４個の誘導用凹部２６１ｂ、２６１ｂ、２６１ｂ、２６２ｂを設けた構成を備える。これらの誘導用凹部２６１ｂ、２６２ｂは、回転誘導体２６ｂの周方向に沿って等間隔に形成されると共に、１個の遊技球を受け入れ可能なサイズとされている。また、何れの誘導用凹部２６１ｂ、２６２ｂも、回転誘導体２６ｂの外周部の側から回転誘導体２６ｂの中心部の側に凹む状態に形成されると共に、回転誘導体２６ｂの上面部及び下面部においても開口している。そして、球導入部２６ｆ上の遊技球を、受け入れことが可能である。
【０１４９】
但し、３個の誘導用凹部２６１ｂが、遊技球を通常誘導孔２６ｇに誘導するために用いられ、残りの１個の誘導用凹部２６２ｂが、遊技球を特別誘導孔２６ｈに誘導するために用いられる。つまり、誘導用凹部２６１ｂ、２６２ｂに受け入れられた遊技球は、図２３（ｃ）に示すように、誘導用凹部２６１ｂの出口部２６５ｂ、２６６ｂから、通常誘導孔２６ｇ及び特別誘導孔２６ｈのうちの何れか一方に誘導される。そして、この出口部２６５ｂ、２６６ｂは、回転誘導体２６ｂの底面部で開口しているが、（ａ）３個の誘導用凹部（以下、「通常誘導用凹部」という。）２６１ｂが、回転誘導体２６ｂを回転させることで、通常誘導孔２６ｇ（入口部）と上下に位置合わせ可能な位置に設けられ、（ｂ）残りの１個の誘導用凹部（以下、「特別誘導用凹部」という。）２６２ｂが、回転誘導体２６ｂを回転させることで、特別誘導孔２６ｈ（入口部）と上下に位置合わせ可能な位置に設けられているからである。
【０１５０】
誘導モータ２６ｃは、回転誘導体２６ｂを回転させるためのモータである。この誘導モータ２６ｃから発生する回転駆動力は、所定の伝達部材（ギア等）を介して、回転誘導体２６ｂに伝達される。尚、後述する主制御部２００Ａは、誘導モータ２６ｃの動作を制御する動作制御手段として機能する。そして、本実施例では、この主制御部２００Ａが誘導モータ２６ｃの動作を制御することで、その回転軸が、常時、一定速度で回転するため、回転誘導体２６ｂは、常時、一定速度で回転（上方側から見て、左回転方向）している。
【０１５１】
本実施例においては、第１の誘導装置２５から誘導された遊技球や、第２の通過路形成部材２４Ｂを通過した遊技球を球導入部２６ｆで受け入れる。この遊技球は、球導入部２６ｆを転動した後、通常誘導用凹部２６１ｂ、及び、特別誘導用凹部２６２ｂのうちの一方に進入する。そして、通常誘導用凹部２６１ｂに進入した遊技球は、回転誘導体２６ｂを回転させことで、通常誘導孔２６ｇに誘導され、特別誘導用凹部２６２ｂに進入した遊技球は、回転誘導体２６ｂを回転させことで、特別誘導孔２６ｈに誘導される。
【０１５２】
図２４に示すように、中央装置２０に入球した遊技球は、先ず、通過選択装置２３によって、その通過方向が選択される。そして、第１の通過路形成部材（通過路）２４Ａに誘導されると（つまり、通常ルートＬＮに誘導されると）、球導入路Ｄ１を経て受入転動部Ｅに導入され、この受入転動部Ｅを転動する（Ｌ１）。この受入転動部Ｅを転動中に、何れの吸着片（通常吸着片２５ｕ、特別吸着片２５ｖ）にも吸着されない場合、遊技球は、通常誘導部（第１の通常誘導部ＮＹ１、第２の通常誘導部ＮＹ２）によって、通常領域部ＴＲに誘導される（Ｌ２）。
【０１５３】
一方、受入転動部Ｅを転動中に、通常吸着片２５ｕに吸着されると、返還誘導部Ｎ１を通じて、通常転動部ＮＴに誘導される（通常転動部ＮＴに返還される）。また、受入転動部Ｅを転動中（返還誘導部Ｎ１による返還履歴の有無を問わない。）に、特別吸着片２５ｖに吸着されると、特別誘導部Ｓ１を経て第２の誘導装置２６に誘導される（Ｌ３）。そして、転動面２６ｋ、球導入部２６ｆを経て、通常誘導用凹部２６１ｂ及び特別誘導用凹部２６２ｂのうちの何れかに進入する。更に、通常誘導用凹部２６１ｂに進入すると、通常誘導孔２６ｇを経て通常領域部ＴＲに誘導され（Ｌ４）、特別誘導用凹部２６２ｂに進入すると、特別誘導孔２６ｈを経て特別領域部ＳＲに誘導される（Ｌ５）。そして、特別領域部ＳＲに誘導された遊技球は、通過検出スイッチ８ｔ（図３３を参照）によって検出され、通常領域部ＴＲに誘導された遊技球は、通過検出スイッチ８ｎ（図３３を参照）によって検出される。ここで、回転誘導体２６ｂには、３個の通常誘導用凹部２６１ｂと、１個の特別誘導用凹部２６２ｂとが、回転誘導体２６ｂの周方向に沿って等間隔に配置されているため、球導入部２６ｆに到達した遊技球が、特別領域部ＳＲに誘導される確率は、「１／４」とされている。但し、第１の通過路形成部材（通過路）２４Ａを通過した遊技球が、球導入部２６ｆに到達するためには、特別吸着片２５ｖによって吸着されることが前提となる。このため、第１の通過路形成部材（通過路）２４Ａを通過した遊技球が、特別領域部ＳＲに誘導される確率は、「１／４」よりも更に小さくなる。
【０１５４】
中央装置２０に入球した遊技球が、通過選択装置２３によって、第２の通過路形成部材（通過路）２４Ｂに誘導されると（つまり、特別ルートＬＳに誘導されると）、特別誘導溝２８ｐ、球導入部２６ｆを経て、通常誘導用凹部２６１ｂ及び特別誘導用凹部２６２ｂのうちの何れかに進入する。このように、第２の通過路形成部材（通過路）２４Ｂに誘導される遊技球は、直接（第２の誘導装置２６を経由せずに）、球導入部２６ｆに到達するため、この遊技球が、特別領域部ＳＲに誘導される確率は、「１／４」となる。
【０１５５】
本実施例では、遊技球が中央装置２０に入球すると、通過選択装置２３によって、この遊技球を、特別領域部ＳＲを通過する確率が低い通常ルート（ＬＮ）に誘導するか、或いは、特別領域部ＳＲを通過する確率が高い特別ルート（ＬＳ）に誘導するかが選択されるため、遊技者の興趣が高められる。しかも、遊技球が、通常ルート（ＬＮ）を通過した後、第２の誘導装置２６に進入する場合には、この遊技球が、第２の誘導装置２６に進入するタイミングを、ランダムなものとすることができる。つまり、特別ルート（ＬＳ）を経て第２の誘導装置２６に進入する場合、遊技球が中央装置２０に入球するタイミングによって、遊技球が第２の誘導装置２６に到達するタイミングが定まる。しかも、回転誘導体２６ｂの回転速度が一定であるため、遊技球が中央装置２０に入球するタイミングによって、この遊技球が特別領域部ＳＲを通過する否かが概ね、定まる。
【０１５６】
一方、遊技球が、通常ルート（ＬＮ）を通過し、第２の誘導装置２６に進入する場合、「通常転動部ＮＴにおける転動時間の長短」、「遊技球が返還誘導部Ｎ１を通過する回数」、「特別転動部ＳＴにおける転動時間の長短」、等が不明である」等の理由で、「遊技球が特別吸着片２５ｖに吸着されるタイミング」を一義的に定めることができない。このため、遊技球が中央装置２０に入球するタイミングによっては、この遊技球が特別領域部ＳＲを通過する否かを定めることができない。
【０１５７】
尚、本実施例の遊技機１では、第２の誘導装置２６、第１の誘導装置２５の順で不正行為の対象となり得ると考えられる。つまり、第２の誘導装置２６においては、例えば、回転誘導体２６ｂの近傍に到達した遊技球が、これから通常誘導孔２６ｇに進入しようとしているときに、ガラス板４３（特に、回転誘導体２６ｂの正面前方に位置する部位）、扉枠本体４１若しくは上皿部材５等に「不正な振動」を与え、当該遊技球を特別誘導用凹部２６２ｂに無理に進入させようとする不正行為がなされる可能性がある。また、第１の誘導装置２５においては、例えば、通常転動部ＮＴを転動する遊技球が、「第１の通常誘導部ＮＹ１」を転動して通常領域部ＴＲに誘導されようとしているときに、ガラス板４３（特に、第１の誘導装置２５の正面前方に位置する部位）、扉枠本体４１若しくは上皿部材５等に「不正な振動」を与え、当該遊技球を通常吸着部Ｘに無理に吸着させようとする不正行為がなされる可能性がある。更に、第１の誘導装置２５においては、例えば、特別転動部ＳＴを転動する遊技球が、「第２の通常誘導部ＮＹ２」を転動して通常領域部ＴＲに誘導されようとしているときに、ガラス板４３（特に、第１の誘導装置２５の正面前方に位置する部位）、扉枠本体４１若しくは上皿部材５等に「不正な振動」を与え、当該遊技球を特別吸着部Ｚに無理に吸着させようとする不正行為がなされる可能性がある。但し、本実施例では、後述する振動検出手段１００等は、これらの不正行為を防止する上で有効である。
【０１５８】
図５に戻り、普通図柄作動ゲート（普通図柄作動口）１６Ａ、１６Ｂは、遊技領域１１において、中央装置２０の下方に位置する部位に配設されている。また、この普通図柄作動ゲート（普通図柄作動口）１６Ａ、１６Ｂには普通図柄作動ゲート通過検出用スイッチ１６ｓ、１６ｓ（図３３参照）が配設されている。そして、普通図柄作動ゲート通過検出用スイッチ１６ｓを遊技球が通過することを前提に、「普通図柄の変動開始条件（つまり、普通図柄変動開始条件）」が成立すると、第１の表示装置６０において、普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が、所定時間（例えば、０．５秒）開放駆動される。
【０１５９】
図５に示すように、始動入賞装置１７は、遊技領域１１において、中央装置２０の中央部の直下に配設され、始動入賞装置１８は、遊技領域１１において中央装置２０の左斜め下方に配設され、始動入賞装置１９は、遊技領域１１において中央装置２０の左斜め下方に配設されている。このうち、始動入賞装置１７の入口側部分には、普通電動役物１７ｄが配置されている。この普通電動役物１７ｄは、いわゆるチューリップ式で左右に一対の翼片部が開閉するべく形成されている。つまり、この一対の翼片部を作動させるための普通電動役物ソレノイド１７ｃ（図３３参照）を備えている。そして、この一対の翼片部が左右に開くと、遊技球の入球可能性が大きくなる開放状態となり、一対の翼片部が立設され、遊技球の入球可能性が小さくなる通常状態となる。尚、その他の始動入賞装置１８、１９は、入球可能性を変化させることができない、通常形式の入賞装置である。
【０１６０】
各始動入賞装置１７、１８、１９の内部には、遊技球の通過を検出する始動入賞検出用スイッチ１７ｓ、１８ｓ、１９ｓ（図３３参照）が配設されている。但し、全ての始動入賞装置１７、１８、１９に入賞した遊技球を、同一の通路（図示を省略）に導き、この通路の経路途中に配設された共通の「始動入賞検出用スイッチ」を配設してもよい。
【０１６１】
図５に示すように、下部装置３０は、始動入賞装置１７の下方に配設されている。この下部装置３０は、可変入賞装置（大入賞装置）３１によって構成されている。この可変入賞装置３１は、遊技盤１０の前面部に装着された取付板部３１ｋを備える。この取付板部３１ｋは、略中央部において平面形状が略帯状の開口部を表裏を貫通する状態に備え、この開口部によって大入賞口３１ａを構成している。また、取付板部３１ｋの背後には、大入賞口３１ａから入賞する遊技球を通過させるための「大入賞口入賞通路（図示を省略）」が設けられている。
【０１６２】
そして、可変入賞装置（大入賞装置）３１は、この大入賞口３１ａを開放・閉鎖するための開閉板３１ｂと、この開閉板３１ｂを駆動するための大入賞口ソレノイ板３１ｃ（図２３参照）と、大入賞口入賞通路の経路途中若しくは経路端末部に設けられた入賞球検出用スイッチ３１ｓ（図２３参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【０１６３】
保留図柄表示装置５０は、図６に示すように、頂壁部２１ｆの下端側に一体化され、左側に配置される特別図柄保留表示部５１と、右側に配置される普通図柄保留表示部５２とを備えている。このうち、特別図柄保留表示部５１は、図２５（ａ）に示すように、２個のＬＥＤ５１ａ、５１ｂを用いて構成され、所謂「特別図柄に関する保留数」を、４個を上限として表示するものである。つまり、「始動入賞装置１７、１８、１９に入賞したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、特別図柄に関する「未消化の遊技球（つまり、保留球）」とは、始動入賞装置１７、１８、１９に入賞したが、後述する特別図柄表示部５１において、当該通過に伴う当否判定の結果の表示（判定結果図柄の確定表示）と、これに先行する変動表示とがなされていない遊技球を指す。
【０１６４】
尚、本実施例では、「遊技球が、普通図柄作動ゲート（普通図柄作動口）１６Ａ、１６Ｂを通過すること条件に、主制御部２００Ａによって実行される判断、つまり、普通電動役物１７ｄを開放状態とすべきか否かの判断を、「当否抽選」と称する。また、「遊技球が、始動入賞装置１７に入賞すること条件に、主制御部２００Ａによって実行される判断」、即ち、「可変入賞装置（大入賞装置）３１を開放を許容するか否かの判断」、つまり、「遊技機の遊技状態を、可変入賞装置３１を閉鎖状態に維持する通常遊技状態から、可変入賞装置３１の開閉を行う特別遊技状態（大当たり遊技状態）にすべきか否かの判断」を、「当否判定」と称する。
【０１６５】
普通図柄保留表示部５２は、図２５（ａ）に示すように、２個のＬＥＤ５２ａ、５２ｂを用いて構成され、所謂「普通図柄に関する保留数」を、４個を上限として表示するものである。つまり、「普通図柄作動ゲート（普通図柄作動口）１６Ａ、１６Ｂを通過したが、未だ、未消化の遊技球の個数（即ち、保留数）」を、４個上限数として表示すると共に、未消化の遊技球が消化される毎に、「未消化の遊技球の個数（即ち、保留数）」を、順次、デクリメントして表示するものである。ここで、普通図柄に関する「未消化の遊技球（つまり、保留球）」とは、普通図柄作動ゲート（普通図柄作動口）１６Ａ、１６Ｂを通過したが、後述する普通図柄表示部５２において、当該通過に伴う当否抽選の結果の表示（抽選結果図柄の確定表示）と、これに先行する変動表示（本実施例では、ＬＥＤを用いて点滅表示）とがなされていない遊技球を指す。
【０１６６】
特別図柄保留表示部５１及び普通図柄保留表示部５２においては、同様な態様で、保留数の表示を行う。つまり、図２５（ｂ）に示すように、２個ＬＥＤを消灯させることで、「保留数」が「ゼロ個」であることを示す。また、１個のＬＥＤを点灯させ、１個のＬＥＤを消灯させることで、「保留数」が「１個」であることを示す。更に、２個のＬＥＤを点灯させることで、「保留数」が「２個」であることを示す。また、１個のＬＥＤを点滅させ、１個ＬＥＤを点灯させることで、「保留数」が「３個」であることを示す。更に、２個のＬＥＤを点滅させることで、「保留数」が「４個」であることを示す。
【０１６７】
第１の表示装置６０は、図６に示すように、右側庇部２１ｅに一体化されている。この第１の表示装置６０は、図２６（ａ）に示すように、遊技状態表示部６２と、特別図柄表示部６３と、普通図柄表示部６５とを備えている。このうち、遊技状態表示部６２は、１個のＬＥＤを用いて構成され、遊技機１の現在の遊技状態を表示するために用いられる。つまり、図２６（ｂ）に示すように、１個のＬＥＤを消灯させることで、「遊技機１の現在の遊技状態が通常遊技状態である」旨が表示される。また、ＬＥＤを「赤色で点灯すること」で、「遊技機１の現在の遊技状態が、３ラウンド大当り中（後述する。）である」旨が表示される。更に、ＬＥＤを「緑色で点灯すること」で、「遊技機１の現在の遊技状態が、８ラウンド大当り中（後述する。）である」旨が表示され、ＬＥＤを「青色で点灯すること」で、「遊技機１の現在の遊技状態が、１６ラウンド大当り中（後述する。）である」旨が表示される。
【０１６８】
普通図柄表示部６５は、１個のＬＥＤを用いて構成され、前述の如く、「普通図柄作動ゲート（普通図柄作動口）１６Ａ、１６Ｂに伴う当否抽選の結果の表示」を、変動表示（本実施例では、ＬＥＤを用いて点滅表示）を経て実行する。つまり、この「当否抽選に関する結果の表示に、先行する変動表示」の実行時期が到来すると、普通図柄表示部６５は点滅表示を開始する。そして、「当否抽選に関する結果の表示」の実行時期が到来すると（換言すると、普通図柄の変動時間を終了すると）、普通図柄表示部６５を用いて、「当否抽選に関する結果」の確定表示がなされる。具体的には、図２７（ｃ）に示すように、ＬＥＤを点灯状態とすることで、当該「当否判定に関する結果」が当り（普通図柄に関する当否抽選の結果が当り）であることが確定表示され、ＬＥＤを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｄ（後述する。）が、所定時間（例えば、０．５秒）開放駆動される。
【０１６９】
本実施例では、このように、ＬＥＤを点灯状態としたり、消灯状態とすることで、普通図柄の確定表示を示し、ＬＥＤを点滅状態とすることで、普通図柄の変動表示を示す。つまり、ランプ装置による点灯表示と、消灯表示と、点滅表示とを用いて、普通図柄の表示を行う。但し、本実施例においては、数字（例えば、１〜９の数字）、アルファベット文字、図形等を用いて普通図柄や、後述する特別図柄の表示を行うこともできる。
【０１７０】
特別図柄表示部６３は、図２６（ａ）に示すように、略円弧状に配設された「４個のＬＥＤ６３ａ〜６３ｄ」を用いて構成され、「始動入賞装置１７、１８、１９への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、図２７（ａ）に示すように、特別図柄表示部６３は、「４個のＬＥＤ６３ａ〜６３ｄ」を順次、循環的に点灯させる。この変動表示（以下、「ＬＥＤ６３ａ〜６３ｄを用いた循環表示」という。）を実行し、「特別図柄に関する当否判定に関する結果の表示」の実行時期が到来すると、特別図柄表示部６３において、特別図柄の確定表示が実行される。
【０１７１】
ここで、この特別図柄の確定表示の表示態様を、図２７（ｂ）を用いて説明する。先ず、全てのＬＥＤ６３ａ〜６３ｄが消灯状態とすることで、「当否判定の結果が外れであること」が示される。また、１個のＬＥＤ（例えば、６３ｂ）を点灯状態とし、残りの３個のＬＥＤ（例えば、６３ａ、６３ｃ、６３ｄ）を消灯状態とすることで、「当否判定の結果が小当り（後述する。）であること」が示される。更に、２個のＬＥＤ（例えば、６３ａ、６３ｂ）を点灯状態とし、残りの２個のＬＥＤ（例えば、６３ｃ、６３ｄ）を消灯状態とすることで、「当否判定の結果が、３ラウンド大当り（後述する。）であること」が示される。また、３個のＬＥＤ（例えば、６３ａ〜６３ｃ）を点灯状態とし、残りの１個のＬＥＤ（例えば、６３ｄ）を消灯状態とすることで、「当否判定の結果が、８ラウンド大当り（後述する。）であること」が示され、全てのＬＥＤ６３ａ〜６３ｄが点灯状態とすることで、「当否判定の結果が１６ラウンド大当り（後述する。）外れであること」が示される。
【０１７２】
第２の表示装置７０は、液晶表示装置を用いて構成されると共に、収納ボックス２２の後方に装着されている（図１１及び図１２を参照）。そして、その表示画面７１が、収納ボックス２２の背面部に設けられた表示窓（図示を省略）を介して、前方から視認可能とされている。この第２の表示装置７０の表示画面７１は可変状態に用いられ、その全体、若しくは、一部を用いて種々の図柄を表示可能である。この表示画面７１には、種々の演出図柄（特別図柄表示部６３に表示される確定表示を、演出的に表示する図柄、リーチ演出、発展演出、キャラクター表示等）を表示すること等が可能である。
【０１７３】
図５に示すように、２個の一般入賞装置４０、４１は、遊技領域１１において、中央装置２０の左側方に位置する部位に配設され、残りの２個の一般入賞装置４３、４４は、中央装置２０の右側方に位置する部位に配設されている。そして、各一般入賞装置４０、４１の内部には、遊技球の入賞を検出するための入賞検出用スイッチ４０ｓ、４１ｓ（図３３参照）が配設されている。
【０１７４】
図５に示すように、風車４６は、中央装置２０を取り囲む４カ所に配置されている。また、多数の障害釘（図示を省略）は、以上説明した各盤部品との位置バランスを考慮して、遊技領域１１にパチンコ遊技に適するべく、配設されている。尚、遊技盤１０の下方にはアウト口１８が設けられ、そのアウト口１８の下部にはバック球防止部材（図示を省略）が設けられている。そして、遊技領域１１に到達せず戻ってきた遊技球が再び発射位置に戻ることを防止している。一方、ファール球防止部材１５は、内レール１３の先端部に取り付けられている。
【０１７５】
尚、本遊技機１では、前述のように、上皿部材５に操作スイッチＳＷを配設している。本実施例の遊技機１では、この操作スイッチＳＷを操作しても、遊技上の演出に変化を与えることはできないが、各発明においては、この操作スイッチＳＷを、遊技上の演出に変化を与えるために用いることとしてもよい。例えば、第２の表示装置７０の表示画面７１で行われる表示に変更を加えるために用いることとしてもよい。
【０１７６】
図７及び図８に示すように、盤本体１０Ｈの後面部（裏面部）には球集合部材８０が装着され、この球集合部材８０には振動検出手段１００が取り付けられている。尚、本実施例では、振動検出手段１００は、中央に位置する始動入賞装置１７の右側に位置する部位」と前後に位置合わせされる箇所に配設されている。このため、「不正行為の対象となり易い誘導装置（本実施例では、第２の誘導装置２６、第１の誘導装置２５）からは直線距離で１００ｍｍ以内の距離の箇所」と、前後に位置合わせされる箇所に、振動検出手段１００は配設されている。尚、各請求項の発明においては、「不正行為の対象となり易い誘導装置からは直線距離で１５０ｍｍ以内（ゼロｍｍを含む。）の距離の箇所」と、前後に位置合わせされる箇所に、振動検出手段１００は配設することが望ましく、「不正行為の対象となり易い誘導装置からは直線距離で１００ｍｍ以内（ゼロｍｍを含む。）の距離の箇所」と、前後に位置合わせされる箇所に、振動検出手段１００は配設することが更に望ましい。
【０１７７】
球集合部材（球集合板）８０は、「入賞装置（中央装置２０、始動入賞装置１７、１８、１９、下部装置３０）に入賞した後、盤本体１０Ｈの裏面部（後面部）に導かれた遊技球」を集合させ、島設備Ｓに返還するためのものである。この球集合部材（球集合板）８０は、透明な樹脂を用いて構成される一体成型品であり、前面部の全域を開口部とする略容器形状を備えている。また、図２８及び図２９に示すように、上端側の３カ所と、上下中間側の左右２カ所と、下端側の３カ所にも、開口部Ｐ１〜Ｐ８を備えている。
【０１７８】
球集合部材（球集合板）８０は、図２８及び図２９に示すように、後壁部８１と、後壁部８１から前方に向かって突出するリブ壁部８２と、リブ壁部８２の前端部（後壁部８１と離間する端部）から突出する固定代８５とを備えている。この球集合部材（球集合板）８０は固定代８５の前面部を盤本体１０Ｈの後面部（裏面部）に当接させつつ、ビス止め固定することで、盤本体１０Ｈの後面部（裏面部）に装着固定されている（図８を参照）。そして、この球集合部材（球集合板）８０は、後壁部８１及びリブ壁部８２によって、盤本体１０Ｈの裏面部（後面部）に導かれた遊技球を誘導するための誘導通路を形成している。
【０１７９】
つまり、図２９に示すように、後壁部８１は、略矩板形状の本体部８１ａと、本体部８１ａの上部左端側から左方向に延出する上部左延出部８１ｂと、本体部８１ａの上部右端側から右方向に延出する上部右延出部８１ｃと、本体部８１ａの上下中間部左端側から左方向に延出する中間部左延出部８１ｄと、本体部８１ａの上下中間部右端側から右方向に延出する中間部右延出部８１ｅとを備えている。また、後壁部８１の上下方向中間部であって右端側に位置する部位からは、左右一対のスライド突起８１ｈ、８１ｈが突出している。これらのスライド突起８１ｈ、８１ｈは略円柱形状とされつつ、後壁部８１の前方に突出している（図３１も参照）。更に、これらのスライド突起８１ｈ、８１ｈの突端部には、雌ネジ孔８１ｊが開口している。
【０１８０】
リブ壁部８２は遊技球の直径（略１１ミリ）を超える突出長を備えると共に、後壁部８１の前面部の適所（周縁部の適所と、周縁部以外の部位の適所）から前方に突出し、各入賞装置（中央装置２０、始動入賞装置１７、１８、１９、下部装置３０）を通じて裏面部（後面部）に導かれた遊技球を、球集合部材（球集合板）８０の下端側に誘導するための誘導通路を構成する。
【０１８１】
具体的には、後壁部８１の中央部（図２８及び図２９の破線Ａを参照）は、中央の始動入賞装置１７を取り付けるための始動取付孔１０ｆと前後に位置合わせされ（図８を参照）、後壁部８１の中央部に設けられる左右一対のリブ壁部８２が、中央の始動入賞装置１７に入賞して、盤本体１０Ｈの後面部（裏面部）に導かれた遊技球を球集合部材（球集合板）８０の下端縁略中央の開口部Ｐ７に遊技球を誘導するための誘導通路Ｔ７を構成する。
【０１８２】
また、球集合部材（球集合板）８０の上端部中央の開口部Ｐ１は、中央装置２０の中央下端と上下に位置合わせされる。また、後壁部８１の略中央部から後壁部８１の左端側に左傾斜となるリブ壁部８２を用いて、「中央装置２０に入賞し、盤本体１０Ｈの後面部（裏面部）に導かれた遊技球を球集合部材（球集合板）８０の右端側に誘導する誘導通路Ｔ１」を構成する。また、上部右延出部８１ｃは右側の「一般入賞装置４１を取り付けるための一般取付孔１０ｋ」と前後に位置合わせされ（図８を参照）、上部右延出部８１ｃに設けられる一対のリブ壁部８２が、一般入賞装置４１に入賞して、盤本体１０Ｈの後面部（裏面部）に導かれた遊技球を球集合部材（球集合板）８０の右端側に誘導する誘導通路Ｔ３を構成する。
【０１８３】
更に、中間部右延出部８１ｅは、右側の始動入賞装置１９を取り付けるための始動取付孔１０ｆと前後に位置合わせされ（図８を参照）、始動入賞装置１９に入賞して、盤本体１０Ｈの後面部（裏面部）に導かれた遊技球を球集合部材（球集合板）８０の右端側に誘導する誘導通路Ｔ３を構成する。そして、これらの「遊技球を球集合部材（球集合板）８０の右端側に誘導する誘導通路Ｔ１、Ｔ３、Ｔ５」は、球集合部材（球集合板）８０の右端下方側において合流し、球集合部材（球集合板）８０の下端縁右端側の開口部Ｐ８において、球集合部材（球集合板）８０外に開放されている。
【０１８４】
同様に、上部左延出部８１ｃは左側の「一般入賞装置４０を取り付けるための一般取付孔１０ｋ」と前後に位置合わせされ（図８を参照）、上部左延出部８１ｃに設けられる一対のリブ壁部８２が、一般入賞装置４０に入賞して、盤本体１０Ｈの後面部（裏面部）に導かれた遊技球を球集合部材（球集合板）８０の左端側に誘導する誘導通路Ｔ２を構成する。また、中間部左延出部８１ｄは左側の「始動入賞装置１８を取り付けるための始動取付孔１０ｆと前後に位置合わせされ（図８を参照）、始動入賞装置１８に入賞して、盤本体１０Ｈの後面部（裏面部）に導かれた遊技球を球集合部材（球集合板）８０の左端側に誘導する誘導通路Ｔ４を構成する。そして、これらの「遊技球を球集合部材（球集合板）８０の左端側に誘導する誘導通路Ｔ２、Ｔ４」は、球集合部材（球集合板）８０の右端下方側において合流し、球集合部材（球集合板）８０の下端縁左端側の開口部Ｐ６において、球集合部材（球集合板）８０外に開放されている。
【０１８５】
本実施例では、中央の始動入賞装置１７に入賞した遊技球は球集合部材（球集合板）８０の下端縁略中央の開口部Ｐ７通じて島設備Ｓに返還される。また、中央装置２０に入賞した遊技球と、右側の「一般入賞装置４１」に入賞した遊技球と、右側の「始動入賞装置１９」に入賞した遊技球は、球集合部材（球集合板）８０の下端縁右端側の開口部Ｐ８を通じて島設備Ｓに返還される。更に、左側の「一般入賞装置４０」に入賞した遊技球と、左側の「始動入賞装置１８」に入賞した遊技球は、球集合部材（球集合板）８０の下端縁左端側の開口部Ｐ６を通じて島設備Ｓに返還される。そして、これらの際に、盤本体１０Ｈの前面部から球集合部材（球集合板）８０に誘導される遊技球は後壁部８１に衝突したり、後壁部８１及びリブ壁部８２を転動し、球集合部材（球集合板）８０に振動を加える。
【０１８６】
振動検出手段１００は、図３０及び図３１に示すように、振動検出センサ１１０と、保持部材１２０とを備えている。このうち、振動検出センサ１１０は振動検出装置部（振動検出装置）の具体例を構成する部品であり、加速度センサ（フォトセンサ式の加速度センサ）を用いて構成されている。この振動検出センサ１１０は、図３０（ｂ）に示すように、樹脂を用いて構成される外郭体の１１１を備えている。また、外郭体の１１１の左右両端には、振動検出センサ１１０を保持部材１２０（後述する。）に固定するための固定孔１１２が設けられている。これらの固定孔１１２は、外郭体の１１１の表裏面と端面との開口する略Ｕ字状（正面視）を用いて構成されているが、この固定孔１１２の態様は特に問わない。また、係合、接着等の他の手法を用いて、振動検出センサ１１０を保持部材１２０に固定してもよい。
【０１８７】
保持部材１２０は、振動検出センサ１１０を保持しつつ、前述の「スライド突起８１ｈ、８１ｈ」に対して前後に変位可能な状態に取り付けられる部材である。この保持部材１２０は、振動検出センサ１１０と略同様な平面形状を備えつつ、振動検出センサ１１０よりも大型の板状体によって構成されている。但し、図３１（ｂ）に示すように、この保持部材１２０は、前面部の周縁側に前方に向かって肉厚が厚くされた厚肉部１２２を備えている。換言すると、保持部材１２０の前面部には、後方に凹む凹部１２３が設けられている。
【０１８８】
この凹部１２３は振動検出センサ１１０を埋設状態に収納可能なサイズ（開口部のサイズ、深さ）を備えている。そして、保持部材１２０は、この凹部１２３内に振動検出センサ１１０を収納しつつ保持しているが、その際、検出センサ１１０はビス止めを用いて保持部材１２０に固定されている。つまり、図３１（ｂ）に示すように、保持部材１２０の左右の固定孔１１２と、凹部１２３の前面で開口する左右のネジ止め穴１２３ａとを前後に位置合わせし、ビス１２５の雄ネジ部をネジ止め穴１２３ａに螺合することで、振動検出センサ１１０は保持部材１２０に固定されている。
【０１８９】
図３０（ａ）に示すように、保持部材１２０の両端部（厚肉部１２２の両端部）にはスライド孔１２６、１２６が設けられている。これらのスライド孔１２６、１２６は保持部材１２０を前後に（肉厚方向）に貫通する状態に設けられると共に、略円形の開口形状を備えている。つまり、両スライド孔１２６、１２６は左右に、しかも、スライド突起８１ｈ、８１ｈと同一ピッチで設けられている。そして、各スライド孔１２６の内径が各スライド突起８１ｈの外径よりも僅かに大きく（スライド孔１２６と、スライド突起８１ｈとの間の相対摺動を許容する程度に大きく）されている。また、図３２に示すように、各スライド孔１２６の深さ（軸心長）Ｒ１は、各スライド突起８１ｈの軸心長Ｒ２よりも小さくされている。例えば、「１ｍｍ以上、１０ｍｍ以下」の値から選択される所定の「値」だけ小さくされている。以下の説明において、「スライド突起８１ｈの軸心長Ｒ２」から「スライド孔１２６の深さ（軸心長）Ｒ１」を減じた量を、「振動用クリアランス（ｔ）」という。
【０１９０】
本実施例では、振動検出センサ１１０と保持部材１２０との一体品（換言すると、振動検出手段１００）が球集合部材（球集合板）８０に対して前後にスライド可能な状態で取り付けられている。つまり、保持部材１２０の後面部と後壁部８１の前面部とを対向させ、各スライド孔１２６を対応するスライド突起８１ｈとを同心状に位置合わせする。そして、各スライド孔１２６と、対応するスライド突起８１ｈと嵌合（相対摺動）して保持部材１２０の後面部と後壁部８１の前面部とを当接させる。このとき、スライド突起８１ｈ、８１ｈの突端部側は、保持部材１２０の前方に突出することになる。
【０１９１】
この後、図３１に示すように、スライド突起８１ｈ、８１ｈの突端部に抜け止め手段１２７を装着することで、振動検出手段１００の球集合部材（球集合板）８０への取付作業を完了する。ここで、本実施例では、この抜け止め手段１２７として、雌ネジ孔８１ｊに螺合可能なビス１２７ａと、ワッシャー１２７ｂとを備えるものを例示できる。このワッシャー１２７ｂは、「ビス１２７ａの雄ネジ部を挿通可能な内径」と、「スライド突起８１ｈの外径よりも大きな外径」とを備えている。
【０１９２】
本実施例では、振動検出手段１００が前後に前述の「振動用クリアランス（ｔ）」を有する状態で球集合部材（球集合板）８０に取り付けられている。このため、盤本体１０Ｈが前後に振動すると（図３２の矢印Ｖ１を参照）、振動検出手段１００の前後方向への振動が拡大される（図３２の矢印Ｖ２を参照）。一方、各スライド孔１２６の内壁が各スライド突起８１ｈの外壁に略接触（スライド孔１２６と、スライド突起８１ｈとの間の相対摺動を許容するように略接触）し、各スライド孔１２６と各スライド突起８１ｈとの間には、各スライド孔１２６（各スライド突起８１ｈ）の径方向に「クリアランス」が殆ど存在しない状態とされている。このため、盤本体１０Ｈが左右や上下に振動しても（図３２の矢印Ｖ３を参照）、振動検出手段１００の振動は、「盤本体１０Ｈの振動」よりも大きくされることはない（図３２の矢印Ｖ４を参照）。
【０１９３】
ｅ．遊技機１の裏面構造
次に、本実施例の遊技機１の裏面構造について図３６を参照して説明する。つまり、遊技機１の裏面構造は、大きな裏機構盤１０２の上に各種装置が搭載された構造となっており、裏機構盤１０２は、一対のヒンジ１０３によって中枠３に開閉可能に軸支されている。
【０１９４】
裏機構盤１０２には、遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１９５】
賞球タンク１０５には底部にタンクスイッチが設けられており、球切れを検出することができる。また、賞球タンク１０５と賞球払出装置１０９とは、タンクレール１０６によって接続されている。更に、図３６において、タンクレール１０６の右側には球抜きレバーが設けられ、タンクレール１０６の下流側には補給球切れ検知スイッチが設けられている。また、賞球払出装置１０９の下流側には、遊技球の振り分け部が設けられている。尚、図３６は、図示が煩雑となることを避けるために、振り分け部の表示は省略されている。
【０１９６】
主制御基板ケース、中継端子板や、払出制御基板ケース１１８等の各種基板類は、裏機構盤１０２に回動自在に懸架された図示しない金属板に、着脱自在に装着されている。
【０１９７】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏機構盤１０２の略中央下端部には、下皿部材用球通路部材が設けられている。
【０１９８】
（２）制御回路の構成
次に、図３３〜図３５を用いて本実施例の遊技機１の制御回路の構成について説明する。本遊技機１の制御回路は、主制御部２００Ａと、複数の副制御部（２２０Ａ、２２２Ａ、２４０Ａ、２６０Ａ）とを含んで構成されている。つまり、主制御基板２００を用いて構成されると共に遊技の基本的な進行や大当りに関わる当否についての制御を司る主制御部２００Ａと、複数の副制御部（２２０Ａ、２２２Ａ、２４０Ａ、２６０Ａ）とを備えている。
【０１９９】
副制御部としては、（ａ）演出制御基板２２０を用いて構成されると共に、「図柄表示」、「ランプの発光」、「効果音」、「可動物の動作」、「演出表示装置２３の演出表示」等を用いた遊技の各種の演出の制御を司る演出制御部２２０Ａと、（ｂ）演出表示制御基板２２２を用いて構成されると共に第２の表示装置７０における演出用図柄（疑似図柄や背景図柄など）の表示制御を司る演出表示制御部２２２Ａと、（ｃ）払出制御基板２４０を用いて構成されると共に貸球や賞球を払い出す動作の制御を司る払出制御部２４０Ａと、（ｄ）発射制御基板２６０を用いて構成されると共に遊技球の発射に関する制御を司る発射制御部２６０Ａを備える。尚、副制御部には、主制御部１４０に直に接続された第１次副制御部（２２０Ａ、２４０Ａ）と、この第１次副制御部を介して主制御部２００Ａに接続された第２次副制御部（２２２Ａ、２６０Ａ）とが存在する。
【０２００】
これらの制御部（２００Ａ、２２０Ａ、２２２Ａ、２４０Ａ、２６０Ａ）を構成する制御基板（２００、２２０、２２２、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図３３〜図３５中の矢印の向きは、データあるいは信号を入出力する方向を表している。また、図３３においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ，ＲＯＭなどについては図示を省略している。
【０２０１】
主制御部２００Ａ（主制御基板２００）は、普通図柄作動ゲート通過検出用スイッチ１６ｓ、入賞検出スイッチ２０ｓ、始動入賞検出用スイッチ１７ｓ、１８ｓ、１９ｓ、入賞球検出用スイッチ３１ｓ、４０ｓ、４１ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。
【０２０２】
更に、前述の「振動検出センサ１１０」から出力される検知信号（遊技盤１０が振動したことを示す検知信号）も、主制御部２００Ａ（主制御基板２００）に入力されている。
【０２０３】
主制御部２００Ａ（主制御基板２００）は、普通電動役物ソレノイド１７ｃや、大入賞口ソレノイド３１ｃ、保留表示装置５０、第１の表示装置６０、開閉ソレノイド２７ｃ等に信号を出力することにより、これらの動作を直接制御している。
【０２０４】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、第２の表示装置（液晶表示装置）７０を駆動する演出表示制御基板２２２やスピーカＳＰを駆動するアンプ基板２２４が接続されている。
【０２０５】
演出制御部２２０Ａ（演出制御基板２２０）は、各種ＬＥＤランプ４ｂ〜４ｆ等を駆動する飾駆動基板２２６に駆動信号を出力することにより、遊技の演出を行う。尚、操作スイッチＳＷからの操作信号は、演出ボタン基板２２８を介して、演出制御部２２０Ａ（演出制御基板２２０）に入力される。また、演出制御部２２０Ａ（演出制御基板２２０）の詳細な入出力関係については後述する。
【０２０６】
払出制御部２４０Ａ（払出制御基板２４０）は、所謂、貸球や賞球の払い出しに関する各種の制御を司っている。例えば、遊技者が上皿部５に設けられた球貸スイッチ５ｅや返却スイッチ５ｆを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０２０７】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて、主制御部２００Ａ（主制御基板２００）でも計数されている。
【０２０８】
賞球タンク１０５に設けられたタンクスイッチ１０４からの信号や、賞球タンク１０５に供給する遊技球が蓄えられる図示しない外部タンクに設けられた外部タンクスイッチ７ｓからの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０２０９】
下皿部６に設けられた下皿満タンスイッチ６ｓからの信号も払出制御部２４０Ａ（払出制御基板２４０）に入力されている。このため、下皿部６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。
【０２１０】
加えて、「ガラス扉枠スイッチ４ｓ」から出力される検知信号（ガラス扉枠４が開放動作を行ったことを示す検知信号）も、払出制御部２４０Ａ（払出制御基板２４０）に入力されている。このため、何らかの理由でガラス扉枠４が明けられた場合には、賞球の払い出し、或いは、遊技球の球貸し等の動作を中止することが可能となっている。尚、「ガラス扉枠４が明けられる理由」としては、「正当な行為者（パチンコホールの店員等）が、ガラス扉枠４に開放動作を施したという理由」の他に、「不正行為者がガラス扉枠４をこじ開けたという理由」や、「不正行為者が不正に入手した鍵等を利用して、ガラス扉枠４に開放動作を施したという理由」等を例示できる。
【０２１１】
また、払出制御部２４０Ａ（払出制御基板２４０は、主制御部２００Ａ（主制御基板２００からの制御の下で、遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０２１２】
主制御部２００Ａ（主制御基板２００）には、遊技機に関する情報（信号）を、遊技機１の外部に出力するための外部端子部（外部出力用端子基板）２００Ｇが接続されている。この外部端子部２００Ｇから出力される情報（信号）としては、大当り情報（大当り信号）、確率変動情報（確率変動信号）、賞球情報（賞球信号）等の遊技状態を示す情報（信号）を例示できる。そして、これらの情報（信号）は、ホールコンピュタＨＰＣに送信され、「不正行為の監視」や「パチンコホールにおける営業上の集計」等のために利用される。
【０２１３】
尚、前述の「ガラス扉枠スイッチ４ｓ」は、中継端子板２８０を介して払出制御部２４０Ａ（払出制御基板２４０）に接続されている。しかも、払出制御部２４０Ａ（払出制御基板２４０）と主制御部２００Ａ（主制御基板２００）とが双方向通信可能な状態に接続されている。このため、「ガラス扉枠スイッチ４ｓ」から出力される検知信号（ガラス扉枠４に開放動作が施されたことを示す検知信号）は、中継端子板２８０と、払出制御部２４０Ａ（払出制御基板２４０）とを介して、主制御部２００Ａ（主制御基板２００）に送信される。また、「振動検出センサ１１０」は、中継端子板２８１を介して主制御部２００Ａ（主制御基板２００）に接続されているため、振動検出センサ１１０から出力される検出信号（遊技盤１０が振動したことを示す検出信号）は、中継端子板２８１を介して主制御部２００Ａ（主制御基板２００）に送信される。
【０２１４】
そして、外部端子部（外部出力用端子基板）２００Ｇを経てホールコンピュタＨＰＣに送信される。よって、パチンコホール側は、「当該遊技機１（当該検知信号の発信源の遊技機１）のガラス扉枠４に開放動作が施されたこと」や「遊技盤１０が振動したこと」を認識することができる。つまり、パチンコホール側は、当該パチンコホールに設置された多数の遊技機１の中から、「ガラス扉枠４に対して開放動作が施されている遊技機１」や「遊技盤１０が振動した遊技機１」を特定することができる。
【０２１５】
次に、演出制御部２２０Ａ（演出制御基板２２０）に対する信号或いはコマンドの入出力関係について説明する。前述のように、演出制御部２２０Ａ（演出制御基板２２０）には、演出表示制御基板２２２と、アンプ基板２２４、装飾駆動基板２２６、演出ボタン基板２２８などの各種基板が接続されている。
【０２１６】
演出制御部２２０Ａ（演出制御基板２２０）は、前述のように、主制御部２００Ａ（主制御基板２００）から各種の演出用のコマンドを受け取ると、コマンドの内容を解釈して、（ａ）第２の表示装置（液晶表示装置）７０での具体的な表示内容や、（ｂ）スピーカＳＰ１〜ＳＰ４で出力する効果音、更には、（ｃ）各種ＬＥＤやランプ類４ｂ〜４ｆの点灯若しくは点滅の具体的な態様を決定する。次いで、第２の表示装置（液晶表示装置）７０の駆動信号（各種の図柄制御コマンド）を演出表示制御部２２２Ａ（演出表示制御基板２２２）に出力して、演出用図柄の変動停止表示を行う。このとき、表示されるキャラクタ図柄や背景図柄などの一部データについては、第２の表示装置（液晶表示装置）７０、或いは、演出表示制御基板２２２に内蔵された演出表示ＲＯＭ２７ｒに格納されているデータを使用する。
【０２１７】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤ、ランプ類４ｂ〜４ｆ等の駆動信号を出力することによって、各種ＬＥＤやランプ類の点灯・点滅動作等を制御する。更に、上皿部５の前面側に設けられた操作スイッチＳＷを遊技者が操作すると、この操作信号が演出制御部２２０Ａ（演出制御基板２２０）に供給される。そして、演出制御部２２０Ａ（演出制御基板２２０）は、供給された操作信号に基づいて、第２の表示装置（液晶表示装置）７０を初めとする各種の演出内容に操作結果を反映させることが可能に構成されている。
【０２１８】
（３）遊技の要点
次に、本実施例の本実施例の遊技機１で行われる遊技の要点について、図３７等を用いて簡単に説明する。
【０２１９】
「始動入賞に伴う当否判定の結果の表示」の実行時期が到来すると、前述のように、図２６（ａ）に示すように、特別図柄表示部６３において変動表示を実行する。そして、「特別図柄に関する当否判定に関する結果の表示」の実行時期が到来すると、特別図柄表示部６３において、特別図柄の確定表示が実行される。
【０２２０】
この特別図柄の確定表示により、「当否判定の結果が外れである」旨が表示されると、遊技機の遊技状態は通常状態に維持され、大入賞口３１ａ、及び、入球口２９Ａ、２９Ｂは閉鎖状態のままとされる。
【０２２１】
また、特別図柄の確定表示により、「当否判定の結果が大当りである」旨が表示されると、特別遊技移行手段（主制御部２００Ａ）は、遊技機の状態を特別遊技状態に移行させる。これにより、大入賞口３１ａを所定回数だけ、開放状態とする「大当り遊技」が実行される。つまり、この大当り遊技を開始すると、開閉板３１ｂ（開閉部材）に、「単位駆動」が所定回数だけ、施される。この「単位駆動」は、開閉板３１ｂ（開閉部材）の姿勢を、大入賞口３１ａを閉鎖する姿勢（以下、「閉鎖姿勢」という。）から、大入賞口３１ａを開放する姿勢（以下、「開放姿勢」という。）に移行させ、この開放姿勢を第１の時間（例えば、２０秒〜３０秒から選択される時間）維持した後、この開閉板３１ｂ（開閉部材）の姿勢を、閉鎖姿勢に戻すこと、で構成される「開閉板３１ｂ（開閉部材）の開閉動作）」によって構成される。
【０２２２】
この「単位駆動」が、所定のインターバル時間を挟みつつ、所定回数実行されると、特別遊技移行手段（主制御部２００Ａ）は、遊技機の状態を、特別遊技状態から通常遊技状態に戻す。尚、本実施例では、この大当りとして、「大入賞口３１ａを３回開放することを内容とする大当り（３ラウンド大当り）」と、「大入賞口３１ａを８回開放することを内容とする大当り（８ラウンド大当り）」と、「大入賞口３１ａを１６回開放することを内容とする大当り（１６ラウンド大当り）」と、を実行することができる。
【０２２３】
更に、特別図柄の確定表示により、「当否判定の結果が小当りである」旨が表示されると、開放動作実行条件が成立し、小当り遊技が実行される。この小当り遊技では、所定の動作パターンに従って、開閉部材２７Ａ、２７Ｂが開放動作を実行する。この動作パターンは、「開閉部材２７Ａ、２７Ｂの姿勢を、短時間（例えば、０．４秒間）の間、開放姿勢とすることを、１回若しくは３回行うこと」を、内容とするものであり、これにより、入球口２９Ａ、２９Ｂは、短時間（例えば、０．４秒間）の間、開放状態とされる。このとき、中央装置２０に遊技球が入球し、更に、この遊技球が、通常領域部ＴＲを通過すると、「外れ」となり、特別遊技移行手段（主制御部２００Ａ）は、遊技機の状態を通常遊技状態に維持する。
【０２２４】
一方、中央装置２０に遊技球が入球し、更に、この遊技球が、所定の有効期間内に特別領域部ＳＲを通過すると、「大当り」となり、特別遊技移行手段（主制御部２００Ａ）は、遊技機の状態を特別遊技状態に移行させる。この「大当り」にも、「３ラウンド大当り」と、「８ラウンド大当り」と、「１６ラウンド大当り」と、存在するが、小当り遊技から移行する大当り遊技においては、「そのまま通常遊技状態から、特別遊技状態に移行して実行される大当り遊技」に比べて、ラウンド数（大入賞口３１ａの開放回数）を１回分減じた状態で実行される。つまり、「３ラウンド大当り」に関わる大当り遊技を実行する場合、大入賞口３１ａが２回開放され、「８ラウンド大当り」に関わる大当り遊技を実行する場合、大入賞口３１ａが７回開放され、「１６ラウンド大当り」に関わる大当り遊技を実行する場合、大入賞口３１ａが１５回開放される。
【０２２５】
ここで、「有効時間」は羽根物型の遊技機（特に、羽根物型セブン機と純粋羽根物）において不正行為の防止等を意図して設定される期間であり、当該「有効時間」外に「特別領域部ＳＲを遊技球が通過したこと」を検出しても、特別遊技移行手段は、当該遊技機の遊技状態を特別遊技状態に移行させることはない。この「有効時間」の「始期」は種々選択でき、例えば、「開閉部材２７Ａ、２７Ｂの開放動作の開始時」等を例示できる。また、有効時間の長さは、通常「数秒」を例示できる。例えば、１０秒以下の時間（ゼロ秒を含まない。）であって、特に、５〜１０秒から選択される時間を例示できる。尚、この具体例において、「複数回の開放を行う動作パターン」に従って、開閉部材の開放動作を行う場合、この「有効時間」を「最先の開放を行う時点」に開始させる態様を例示できる。また、「複数個の遊技球が連続的に中央装置２０に入球し、しかも、これらの複数個の遊技球が、有効時間内に特別領域部を連続的に通過した場合」等においては、一般に、「後続する特別領域部ＳＲの通過」は、「遊技機の遊技状態を特別遊技状態に移行させる契機」とはならない（つまり、特別遊技移行手段によって無視される。）。蓋し、「検出手段による最先の遊技球の検出」によって、「特別遊技移行手段が遊技機の遊技状態を特別遊技状態に移行させるための条件」が成立しているからである。
【０２２６】
尚、本実施例の遊技機１は、「特別領域部ＳＲを通過する遊技球を検出するための検出手段８ｔ」と、「開閉部材２７Ａ、２７Ｂが開放動作を開始したときに、時間の計測を開始する時間計測手段」と、「時間計測手段が、所定の有効時間内の時間を計測しているときに、検出手段８ｔが、特別領域部ＳＲを遊技球が通過したことを検出すること条件に、遊技機１の遊技状態を特別遊技状態に移行させる特別遊技移行手段」と、を備えてもよい。
【０２２７】
（４）実施例の効果
本遊技機１によると、振動検出手段１００（振動検出センサ１１０）が、球集合部材（球集合板）８０に対して前後にスライド可能な状態に取り付けられるため、「振動検出手段１００（振動検出センサ１１０）に生ずる振動」を「遊技盤１０に生ずる振動」よりも大きくすることができる。即ち、盤本体１０Ｈが前後に振動する場合、その振動が小さくても、「振動検出手段１００に生ずる前後方向への振動」が拡大される。よって、不正行為者が、例えば、「ガラス扉枠（表扉枠）４のガラス板４３」や上皿部材５を細かく振動させた場合等であっても、振動検出手段１００（振動検出センサ１１０）に生ずる振動を大きくすることにより、不正行為を検出することが容易となる。従って、本実施例によると、より広範な態様の不正行為を的確に防止できる遊技機を得ることができる。
【０２２８】
また、本実施例において、集合部材（球集合板）８０に取り付けられた振動検出手段１００（振動検出センサ１１０）では、前後方向へのクリアランス（前述の振動用クリアランス）」が十分に確保されているが、「各スライド孔１２６（各スライド突起８１ｈ）の径方向へのクリアランス」が殆ど存在しない状態とされる。このため、所謂「ドツキと称する不正行為によって生ずる遊技盤１０の振動」には大きく反応し易く（大きき振動し易く）、「適正行為等によって生じ易い遊技盤１０の振動」に反応し難くされている。
【０２２９】
つまり、所謂「ドツキと称する不正行為によって生ずる遊技盤１０の振動」は、専ら「遊技盤１０の前後方向への振動」であり、「適正行為等によって生じ易い遊技盤１０の振動」は、専ら「遊技盤１０の前後以外の方向への振動」であるが、本実施例では、振動検出手段１００（振動検出センサ１１０）を「前後方向へ変位可能（相対的に変位することが可能）な状態であるが、その他の方向には変位不可能（相対的に変位することが不可能）な状態で集合部材（球集合板）８０に装着する。このため、本実施例では、「検出したい種類の振動（ドツキと称する不正行為によって生ずる遊技盤１０の振動）のみを選択的に拡大して検出し易くする」という効果を、簡易な構成によって得ることもできる。
【０２３０】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０２３１】
即ち、本実施例においては、盤部品（集合部材８０）に対して、振動検出手段１００を取り付ける態様を例示したが、各請求項の発明においては、盤本体１０Ｈに対して振動検出手段１００を取り付けることもできる（以下、「変形例１」という。）。また、本実施例においては、振動検出センサ（振動検出装置部）１１０と、保持部材１２０とを備える振動検出手段１００を例示したが、振動検出センサ（振動検出装置部）１１０のみを用いて振動検出手段１００を構成することもできる（以下、「変形例２」という。）。つまり、振動検出センサ（振動検出装置部）１１０にスライド孔を設け、このスライド孔に、対応するスライド突起（盤部品や盤本体に設けられるスライド突起）を嵌合（相対摺動）して、振動検出センサ（振動検出装置部）１１０を前後にスライド可能としてもよい。
【０２３２】
また、実施例、変形例１及び変形例２において、スライド突起及び振動検出手段の間の雌雄を逆転することもできる。例えば、実施例においては、振動検出手段１００にスライド突起を設け、集合部材（球集合板）８０にスライド孔（有底の穴、つまり、スライド穴であってもよい。）を設けてもよい。
【０２３３】
更に、実施例、変形例１〜変形例３において、主制御部２００Ａ（主制御基板２００）若しくはホールコンピュタＨＰＣは、「所定の振動パターンを記憶する振動パターン記憶手段」と、「振動検出手段１００（振動検出センサ１１０）によって検出した振動を振動パターン記憶手段に記憶された振動パターンと照合して当該検出した振動が適正振動であるか、不正振動であるかを判定する判定手段」と、「判定手段が不正振動であると判断した場合に、警報信号を発信する警報信号発信手段」とを備えてもよい。
【０２３４】
つまり、「適正振動」とは、前述のように、「公正の遊技の際に遊技機１において不可避的に生ずる振動」を示しているが、遊技機１に不正行為を施すこと（例えば、ドツキ）によって遊技機１に生ずる振動（不正振動）は、「適正振動」に比べて、振幅、強度、頻度のうちの何れかが異なっている。例えば、不正振動は適正振動に比べて、振幅が大きくなったり、ある特定時期（例えば、前述の有効期間内）に振動が頻度が高くなること等がある。このため、「適正振動」と、「不正振動」との振動パターンの相違に着目して、検出された振動が適正振動であるか、不正振動であるかを判定することがもできる。
【産業上の利用可能性】
【０２３５】
本発明は、遊技機を製造、販売等する分野において利用できる。
【図面の簡単な説明】
【０２３６】
【図１】本発明の実施例に係る遊技機を示す斜視図である。
【図２】本発明の実施例に係る遊技機において遊技盤を示す正面図である。
【図３】本発明の各実施例に係る遊技機において外枠及び遊技機本体等を説明するための概略的な説明図である。
【図４】盤部品（集合部材）、振動検出手段の取付状態を説明するために、遊技盤、ガラス扉枠及び上皿部材等を示す説明図である。
【図５】本発明の実施例に係る遊技機において遊技盤を示す正面図である。
【図６】本発明の実施例に係る遊技機において中央装置を示す正面図である。
【図７】本発明の実施例に係る遊技機において盤本体と、盤部品（集合部材）と、振動検出手段を説明するための斜視図である。
【図８】本発明の実施例に係る遊技機において盤本体と、盤部品（集合部材）と、振動検出手段を説明するための背面図である。
【図９】本発明の実施例に係る遊技機において、中央装置の要部を示す斜視図図である。
【図１０】本発明の実施例に係る遊技機において、中央装置の要部を示す平面図である。
【図１１】本発明の実施例に係る遊技機において、通過路形成部材等を説明するための説明図である。
【図１２】本発明の実施例に係る遊技機において、通過路形成部材等を説明するための縦断面図（図１１のａ−ａ断面図）である。
【図１３】本発明の実施例に係る遊技機において、選択部材を説明するための説明図である。
【図１４】第１の誘導装置の要部を示す説明図である。
【図１５】第１の誘導装置の要部を示す斜視図である。
【図１６】移送ローラ等を説明するための斜視図である。
【図１７】移送ローラ等を説明するための説明図である。
【図１８】移送ローラ等を説明するための説明図である。
【図１９】（ａ）は移送ローラの断面図（第１の配設位置ｄ１の断面図）であり、（ｂ）は移送ローラの断面図（第２の配設位置ｄ２の断面図）であり、（ｃ）は移送ローラの断面図（第３の配設位置ｄ３の断面図）である。
【図２０】（ａ）は受入転動部を説明するための正面図であり、（ｂ）は図２０（ａ）ｂ−ｂ断面図であり、（ｃ）は図２０（ａ）ｃ−ｃ断面図である。
【図２１】（ａ）及び（ｂ）は、第１の誘導装置の作用を説明するための説明図である。
【図２２】（ａ）及び（ｂ）は、第１の誘導装置の作用を説明するための説明図である。
【図２３】（ａ）〜（ｃ）は、第２の誘導装置を説明するための説明図である。
【図２４】本発明の実施例に係る遊技機において、中央装置の誘導態様を説明するための説明図である。
【図２５】（ａ）及び（ｂ）は本発明の各実施例において、保留表示装置を説明するための説明図である。
【図２６】（ａ）及び（ｂ）は本発明の各実施例において、第１の表示装置を説明するための説明図である。
【図２７】（ａ）〜（ｃ）は本発明の各実施例において、第１の表示装置の表示態様を説明するための説明図である。
【図２８】球集合部材の正面図である。
【図２９】球集合部材の縦断面図である。
【図３０】（ａ）は振動検出手段の正面図であり、（ｂ）は振動検出センサの正面図である。
【図３１】（ａ）は振動検出手段の取付状態を説明するための一部正面図であり、（ｂ）は図３１（ａ）のｋ−ｋ断面図である。
【図３２】振動検出手段のスライド態様を説明するための説明図である。
【図３３】本発明の実施例に係る電子制御装置を示すブロック図である。
【図３４】本発明の実施例に係る電子制御装置を示すブロック図である。
【図３５】本発明の実施例に係る電子制御装置を示すブロック図である。
【図３６】本発明の実施例に係る遊技機の背面図である。
【図３７】本実施例の遊技機で行われる遊技の大まかな流れを示したブロック図である。
【図３８】従来例を示す説明図である。
【符号の説明】
【０２３７】
１；遊技機（弾球遊技機）、
１０；遊技盤
１０Ｈ；盤本体、
１１；遊技領域、
２０；中央装置（入球装置）、
２５；第１の誘導装置、
２６；第１の誘導装置、
８０；球集合部材（特定の盤部品）、
１００；振動検出手段、
１１０；振動検出センサ（振動検出装置部、振動検出装置）
１２０；保持部材、
１２７；抜け止め手段、
１２７ａ；ビス、
１２７ｂ；ワッシャー、
ＳＲ；特別領域部、
ＴＲ；通常領域部。
【図１】
0004737692.tif 000002
【図２】
0004737692.tif 000003
【図３】
0004737692.tif 000004
【図４】
0004737692.tif 000005
【図５】
0004737692.tif 000006
【図６】
0004737692.tif 000007
【図７】
0004737692.tif 000008
【図８】
0004737692.tif 000009
【図９】
0004737692.tif 000010
【図１０】
0004737692.tif 000011
【図１１】
0004737692.tif 000012
【図１２】
0004737692.tif 000013
【図１３】
0004737692.tif 000014
【図１４】
0004737692.tif 000015
【図１５】
0004737692.tif 000016
【図１６】
0004737692.tif 000017
【図１７】
0004737692.tif 000018
【図１８】
0004737692.tif 000019
【図１９】
0004737692.tif 000020
【図２０】
0004737692.tif 000021
【図２１】
0004737692.tif 000022
【図２２】
0004737692.tif 000023
【図２３】
0004737692.tif 000024
【図２４】
0004737692.tif 000025
【図２５】
0004737692.tif 000026
【図２６】
0004737692.tif 000027
【図２７】
0004737692.tif 000028
【図２８】
0004737692.tif 000029
【図２９】
0004737692.tif 000030
【図３０】
0004737692.tif 000031
【図３１】
0004737692.tif 000032
【図３２】
0004737692.tif 000033
【図３３】
0004737692.tif 000034
【図３４】
0004737692.tif 000035
【図３５】
0004737692.tif 000036
【図３６】
0004737692.tif 000037
【図３７】
0004737692.tif 000038
【図３８】
0004737692.tif 000039